(57)【特許請求の範囲】
【請求項１】
ＲＡＭＰ１またはＲＡＭＰ３遺伝子分断に関してホモ接合性の遺伝的に変更されたマウス。
【請求項２】
前記マウスが外因性レポーター遺伝子を、前記分断されたＲＡＭＰ１又はＲＡＭＰ３遺伝子の制御配列の制御下に発現する、請求項１のマウス。
【請求項３】
ＲＡＭＰ１またはＲＡＭＰ３遺伝子分断に関してホモ接合性の遺伝的に変更されたマウス細胞。
【請求項４】
前記細胞が胚性幹（ＥＳ）細胞である、請求項３のマウス細胞。
【請求項５】
ＲＡＭＰ１またはＲＡＭＰ３遺伝子分断に関してホモ接合性の遺伝的に変更されたマウスから得られた膜標本。
【発明の詳細な説明】
【０００１】
【発明の属する技術分野】
本発明は遺伝的に変更された非ヒト哺乳動物、及び破断されたＲＮＡＰ遺伝子を含む遺伝的に変更された動物細胞に関する。本発明は更にＲＡＭＰ活性を変更する作用物質に関するスクリーニング方法、及びＲＡＭＰ１、ＲＡＭＰ２またはＲＡＭＰ３遺伝子を発現する細胞のＲＡＭＰ機能を変更する方法にも関する。
【０００２】
【従来の技術】
現在、受容体活性変更蛋白質（ＲＡＭＰ）ファミリーには３種類にメンバー（ＲＡＭＰ１、ＲＡＭＰ２及びＲＡＭＰ３）が含まれると考えられている；それらは特定Ｇ蛋白質結合受容体に連合し、そして受容体機能に影響する単一の膜貫通ドメイン蛋白質である。例えば、ＲＡＭＰｓはカルシトニン受容体様受容体（ＣＲＬＰ）の原形質膜への移送に必要とされる。ＣＲＬＲの表現形は、その移送に関わるＲＡＭＰにより変わる。例えば、ＲＡＭＰ１が移送するＣＲＬＲはカルシトニン遺伝子関連ペプチド（ＣＧＲＰ）受容体表現形を示すが、ＲＡＭＰ２又はＲＡＭＰ３移送ＣＲＬＰはアドレノモジュリン受容体表現形を示す（ＭｃＬａｔｃｈｉｅら、Ｎａｔｕｒｅ  ３９３：３３３−３３０，１９９８：Ｃｈｒｉｓｔｏｐｏｕｌｏｓら、Ｍｏｌ．Ｐｈａｒｍａｃｏｌ．５６：２３６−４２、１９９９）。更にＲＡＭＰ２以外のＲＡＭＰ１及びＲＡＭＰ３は、カルシトニン（ＣＲ）ファミリーの受容体とも連合し、アミリン（膵島アミロイドポリペプチド）に対する受容体の特異性を増し、そしてカルシトニンに対する特異性を下げる（Ｍｕｆｆら、Ｅｎｄｏｃｒｉｎｏｌｏｇｙ１４０：２９２４−２７、１９９９）。
【０００３】
【発明が解決しようとする課題】
幾つかのＧ蛋白質共役受容体の機能に於けるＲＡＭＰｓの複雑な役割、及びこれら機能に関わる治療上の含意を理解するためには、更なる研究が求められる。従って、本発明はＲＡＭＰ１、ＲＡＭＰ２及びＲＡＭＰ３機能を研究するために生物学的手段、及びこれら機能に結びついた疾患及び状態の治療への利用に関しこれらＲＡＭＰｓを制御する作用物質を同定する方法を提供する。
【０００４】
【課題を解決するための手段】
本発明は分断型ＲＡＭＰ１、ＲＡＭＰ２又はＲＡＭＰ遺伝子を含む遺伝的に変更された動物細胞、及び遺伝的に変更された非ヒト哺乳動物、ならびにこれらＲＡＭＰ遺伝子の一つの活性を変更する作用物質を特定することに関するアッセイ、及びこれらＲＡＭＰ蛋白質の１つ又はそれ以上を変更することで哺乳動物の病気または状態を治療または予防する方法を特徴とする。第１の側面では、発明は遺伝的に変更された、非ヒト哺乳動物にあって、変更が分断型ＲＡＭＰ１又はＲＡＭＰ３遺伝子を生じるものを特徴とする。哺乳動物はこの変更に関しヘテロ接合体でもホモ接合体のいずれかである。好ましくは哺乳動物は齧歯類であり、より好ましくはマウスである。好ましくは、哺乳動物は制御配列であるＲＡＭＰ１又はＲＡＭＰ３遺伝子の制御下に外来性レポーター遺伝子を発現する。発明はまた、結果として分断型ＲＡＭＰ２遺伝子を生じ、そしてこのＲＡＭＰ２遺伝子の制御配列制御下に外来性レポーター遺伝子が発現する、遺伝的変更に関しヘテロ接合性である遺伝的に変更された非ヒト哺乳動物を特徴とする。好ましくは哺乳動物はマウスである。第２及び関連側面に於いては、発明は遺伝的に変更された動物細胞にあって、変更が分断型ＲＡＭＰ１、ＲＡＭＰ２又はＲＡＭＰ３遺伝子を含む細胞を提供する。動物細胞はこの変更に関しヘテロ接合性又はホモ接合性である。好ましくは細胞は胚性幹（ＥＳ）細胞であり、細胞はヒト細胞であり又は細胞はネズミ細胞である。発明は更に変更動物細胞に由来する膜標本を特徴とする。
【０００５】
別の側面では、発明は哺乳動物の肝機能及び／又は筋肉代謝に関連した疾患を治療する方法を特徴とする。方法は、ＲＡＭＰ１活性を変更する作用物質を投与することを含む。好ましくは、作用物質はＲＡＭＰ１活性を上昇し、そしてうっ血性心不全、僧帽弁狭窄症、高血圧、慢性又は急性肝炎、肝腫、脂肪肝、胆道閉鎖、胆石、及び／又は化学薬品または薬物誘導肝毒性を治療又は予防するために投与される。
【０００６】
発明の別の側面は：（ａ）哺乳動物内の細胞にＲＡＭＰ１活性を変更する作用物質を投与することを含む、線条体、大脳皮質、中央肝静脈平滑筋層、女性又は男性生殖道、又は皮膚の細胞に於けるＲＡＭＰ１活性を変更する方法；（ｂ）ＲＡＭＰ２活性を変更する作用物質を細胞に投与することを含む、哺乳動物に於ける精子形成細胞のＲＡＭＰ２活性を変更する方法；及び（ｃ）ＲＡＭＰ３活性を変更する作用物質を哺乳動物の細胞に投与することを含む、哺乳動物の尾状核、大脳の側背面域、又は男性生殖道内の細胞のＲＡＭＰ３活性を変更する方法、を提供する。
【０００７】
関連側面では、発明は：（ａ）作用物質を線条体、大脳皮質、中央肝静脈平滑筋層、胆嚢、女性又は男性生殖道、又は皮膚由来の細胞に接触せしめること、及びＲＡＭＰ１活性を測定することを含むＲＡＭＰ１活性を変更する作用物質を特定する方法にあって、作用物質無し及び作用物質有りの活性差が作用物質がＲＡＭＰ１活性を変更できることを示す方法；（ｂ）作用物質を精子形成細胞に接触せしめること、及びＲＡＭＰ２活性を測定することを含むＲＡＭＰ２活性を変更する作用物質を特定する方法にあって、作用物質無し及び作用物質有りでの活性の差が作用物質がＲＡＭＰ２活性を変更できることを示す方法；
（ｃ）作用物質を尾状核、大脳の側背面域、又は男性生殖道由来の細胞に接触せしめること、及びＲＡＭＰ３活性を測定することを含む、ＲＡＭＰ３活性を変更する作用物質を特定する方法にあって、作用物質無し及び作用物質有りの活性差が作用物質がＲＡＭＰ３活性を変更できることを示す方法、を提供する。
【０００８】
発明のその他関連側面は：（ａ）作用物質を線条体、大脳皮質、中央肝静脈平滑筋層、胆嚢、女性又は男性生殖道、又は皮膚に由来し、ＲＡＭＰ１遺伝子制御配列の制御下にコーディング配列を発現する細胞に接触せしめること、及びＲＡＭＰ１活性を測定することを含むＲＡＭＰ１活性を変更する作用物質を特定する方法にあって、作用物質無し及び作用物質有りの活性差が作用物質がＲＡＭＰ１活性を変更できることを示す方法；（ｂ）作用物質を、ＲＡＭＰ２遺伝子制御配列の制御下にコーディング配列を発現する精子形成細胞に接触せしめること、及びＲＡＭＰ２活性を測定することを含むＲＡＭＰ２活性を変更する作用物質を特定する方法にあって、作用物質無し及び作用物質有りでの活性の差が作用物質がＲＡＭＰ２活性を変更できることを示す方法；（ｃ）作用物質を尾状核、大脳の側背面域、又は男性生殖道に由来し、ＲＡＭＰ３遺伝子制御配列の制御下にコーディング配列を発現する細胞に接触せしめること、及びＲＡＭＰ３活性を測定することを含む、ＲＡＭＰ３活性を変更する作用物質を特定する方法にあって、作用物質無し及び作用物質有りでの活性の差が作用物質がＲＡＭＰ３活性を変更できることを示す方法、を提供する。好ましくはコーディング配列はレポーターポリペプチドをコードする。
【０００９】
また発明はさらに：作用物質を、遺伝的に変更された非ヒト哺乳動物又は動物細胞、あるいは動物細胞に由来する膜標本にあってＲＡＭＰ１遺伝子の遺伝的分断に関しホモ接合性であるものに接触せしめることを含む、ＲＡＭＰ１活性を変更するものとして特定された作用物質がＲＡＭＰ１を通じその作用を伝達するか否かを確認する方法にあって、野生型の非ヒト型哺乳動物、動物細胞又は膜標本では認められるが遺伝的に変更された哺乳動物、又は動物細胞、あるいは膜標本のＲＡＭＰ１活性には効果が認められないことで作用物質がＲＡＭＰ１を通じその作用を伝達することを確認する方法；及びＲＡＭＰ３遺伝子の遺伝的分断に関しホモ接合性である遺伝的に変更された非ヒト哺乳動物又は動物細胞、あるいは動物細胞に由来する膜標本に作用物質を接触せしめる含む、ＲＡＭＰ３活性を変更するものとして特定された作用物質がその作用をＲＡＭＰ３を介し伝達するか否かを確認する方法にあって、野生型の非ヒト型哺乳動物、動物細胞又は膜標本では認められるが遺伝的に変更された哺乳動物、又は動物細胞、あるいは膜標本のＲＡＭＰ３活性には効果が認められないことで作用物質がＲＡＭＰ３を介しその作用を伝達することを確認する方法、も提供する。
【００１０】
更に、発明の別の側面は：ＲＡＭＰ１遺伝子の分断に関しホモ接合性である遺伝的に変更された非ヒト哺乳動物、及び／又はＲＡＭＰ３遺伝子の分断に関しホモ接合性である遺伝的に修飾された非ヒト哺乳動物に於けるアミリンシグナル伝達反応を野生型非ヒト哺乳動物と比較することを含む、カルシトニン受容体伝達アミンリンシグナル伝達に於けるＲＡＭＰ１及びＲＭＡＰ３のインビボでの役割を特定する方法；及びＲＡＭＰ３遺伝子の分断に関しホモ接合性である遺伝的に修飾された非ヒト哺乳動物のアドレノモジュリンシグナル伝達反応を野生型非ヒト哺乳動物と比較することを含む、カルシトニン受容体様受容体伝達アドレノモジュリンシグナル伝達に於けるＲＡＭＰ２及びＲＡＭＰ３のインビボでの役割を特定する方法を提供する。
【００１１】
当業者は本発明を記載する明細書及び添付クレーム中、ここに使用される用語を完全に理解するだろう。それでも尚ここに特に記載されない限り、次の用語は以下記載の通りである。
【００１２】
”遺伝的に変更”されている非ヒト哺乳動物又は動物細胞は、遺伝子工学により非ヒト哺乳動物又は動物細胞内、又は非ヒト哺乳動物又は動物始原細胞内に導入される変更に関してヘテロ接合性又はホモ接合性である。変更導入に利用できる遺伝子工学の標準的方法は、ホモ接合性組み換え、ウイルスベクター遺伝子トラッピング、放射線照射、化学的突然変異誘導及びアンチセンスＲＮＡ単独又は触媒リボザイムと組合せコードするヌクレオチド配列のトランスジェニック発現を含む。遺伝的変更に関する好適方法は、例えば相同的組み換え及びウイルスベクタートラッピングの様な遺伝子座内に”外部核酸配列”を挿入することで内因性遺伝子を変更する様な方法である。”外部核酸配列”は、変更対象となる遺伝子内に非天然的に生起する外来性配列である。外部ＤＮＡのこの挿入は、遺伝子にいずれかの領域、例えばエンハンサー、プロモーター、制御領域、非コーディング領域、コーディング領域、イントロン又はエクソン内に生じせしめることができる。遺伝子工学の最適方法は、外部核酸配列が単独又は特異的ヌクレオチド変化と組合せて標的的手段により挿入される、あるいは内因性遺伝子配列の一部が欠失される相同的組み換えである。
【００１３】
”分断”されたＲＡＭＰ１、ＲＡＭＰ２又はＲＡＭＰ３遺伝子とは、ＲＡＭＰ遺伝子の野生型を正常に発現している細胞に於いて分断された遺伝子にコードされた各ＲＡＭＰポリペプチドの細胞活性が低下する様に遺伝的に修飾されているＲＡＭＰ遺伝子を意味する。遺伝的変更が細胞内のＲＡＭＰ遺伝子の全ての野生型コピーを効果的に排除した場合（例えば遺伝的変更された非ヒト哺乳動物又は動物細胞がＲＡＭＰ遺伝子分断に関しホモ接合性であるか、又は元来存在しているＲＡＭＰ遺伝子の野生型コピーのみがあらためて分断される）、この遺伝的変更の結果、野生型ＲＡＭＰ遺伝子を発現する適当な比較細胞に比べＲＡＭＰのポリペプチド活性は低下する。ＲＡＭＰポリペプチド活性のこの低下はＲＡＭＰ遺伝子発現の低下（即ち、ＲＡＭＰｍＲＮＡレベルの低下によりＲＡＭＰポリペプチドのレベルが低下する）の結果、及び／又は分断ＲＡＭＰ遺伝子が野生型ＲＡＭＰポリペプチドに比し低い機能を持つ変位型ポリペプチドをコードしているためである。好ましくは、遺伝的に変更された非ヒト哺乳動物又は動物細胞のＲＡＭＰ１、ＲＡＭＰ２又はＲＡＭＰ３ポリペプチドの活性は、野生型レベルの５０％以下、より好ましくは２５％以下、さらにより好ましくは野生型レベルの１０％以下である。最適には、ポリペプチド活性は遺伝的分断に関しホモ接合性である遺伝的に変更された非ヒト哺乳動物又は動物細胞において検出されない。
【００１４】
分断されたＲＡＭＰ１、ＲＡＭＰ２又はＲＡＭＰ３遺伝子を含む”遺伝的に変更された、非ヒト哺乳動物”とは、例えば所望の遺伝的変更を有する胞胚細胞を作製し、続いてこの胞胚細胞を子宮内発生のために養母内に移植することで作製された非ヒト哺乳動物を意味する。遺伝的に変更された胞胚細胞は、マウスでは遺伝的に変更された胚性幹（ＥＳ）細胞をマウス胞胚細胞内に移植することで作製できる。あるいは、核移植により遺伝的に変更された各種胚を得ることができる。核移植の場合、ドナー細胞は体細胞または多能性幹細胞であり、これはＲＡＭＰ遺伝子を分断する所望の遺伝的変更を含む様に加工されている。次にこの細胞核は脱核された受精又は単為生殖卵細胞内に移され、胚が再構築され、肺胞に発生する。上記いずれかの方法で作製された遺伝的に変更された胞胚細胞は続いて当業者既知の標準的方法により養母内に移植される。”遺伝的に変更された、非ヒト哺乳動物”は、上記方法により作成された哺乳動物の全ての子孫を含み、子孫はＲＡＭＰ遺伝子を破壊する遺伝的変更の少なくとも１コピーを遺伝する。遺伝的に変更された哺乳動物の全ての体細胞及び生殖細胞がこの変更を含むことが好ましい。分断型ＲＡＭＰ遺伝子を含む様に遺伝的に変更される好ましい非ヒト哺乳動物にはマウス及びラットの様な齧歯類、ネコ、イヌ、ウサギ、モルモット、ハムスター、ブタ、ヤギ及びフェレットが含まれる。
【００１５】
分断型ＲＡＭＰ１、ＲＡＭＰ２又はＲＡＭＰ３遺伝子を含む”遺伝的に変更された動物細胞”とは、分断型遺伝子を含む様に遺伝的に加工され作製された、ヒト細胞を含む動物細胞及びその遺伝子を遺伝する嬢細胞を意味する。これら細胞は当分野既知の標準的方法により遺伝的に変更され培養されるだろう。培養細胞細胞を遺伝的に変更する別の手段は、所望ＲＡＭＰ遺伝子分断を含む遺伝的に修飾された非ヒト哺乳動物から非ヒト哺乳動物細胞を単離する方法である。発明の動物細胞は初代細胞又は組織標本、あるいは培養適合及び／又は形質転換細胞株より得られるだろう。これら細胞又は細胞株は、例えば内皮細胞、上皮細胞、島、神経単位及びその他神経組織由来細胞、中皮細胞、骨細胞、リンパ細胞、軟骨細胞、造血細胞、免疫細胞、主要な腺及び器官（例えば肝臓、肺、心臓、胃、膵臓、精巣、卵巣、腎臓及び皮膚）の細胞、筋細胞（骨格筋、平滑筋及び心筋を含む）、外分泌又は内分泌細胞、繊維芽細胞及び胚性及びその他全能性又は多能性幹細胞（例えばＥＳ細胞、ＥＳ様細胞及び胚性生殖（ＥＧ）細胞、及び子孫細胞及び組織由来幹細胞の様なその他肝細胞）に由来する。好ましい遺伝的に変更された細胞はＥＳ細胞であり、より好ましくはマウス又はラットＥＳ細胞であり、最適にはヒトＥＳ細胞である。
【００１６】
”ＥＳ細胞”又は”ＥＳ様細胞”とは不定型自己再生が可能であり、そして３種類の胚葉全てを代表するタイプの細胞に分化できる胚、始原生殖細胞、又はテトラカルシノーマ由来の多能性幹細胞を意味する。
【００１７】
”低下した”とは統計有意な低下を意味する（即ち、ｐ＜０．１、好ましくはｐ＜０．０５）。
”変更する”とは、統計有意な増加又は低下（完全排除を含む）を意味する。
【００１８】
”発現を測定すること”とは、ｍＲＮＡレベル又はｍＲＮＡがコードするポリペプチドのレベルを測定することを意味する。
”ＲＡＭＰ１ポリペプチド活性””ＲＡＭＰ１活性”又は”ＲＡＭＰ１ポリペプチド様活性”とは、ＲＡＭＰ１遺伝子によりコードされたポリペプチドにより伝達されるＣＲＬＲに対するＣＧＲＰ結合の増加、ｃＡＭＰの増加、及び／又は内向き電流の増加を意味する。この様な活性は細胞に於いて、発現レベル（例えば細胞内に存在するポリペプチドのレベルを変化させることで）又は各ＲＡＭＰ１ポリペプチド分子の特異的機能特性（例えば結合親和性又は細胞シグナル伝達活性）を変更することで調節できる。
【００１９】
”ＲＡＭＰ２ポリペプチド活性””ＲＡＭＰ２活性”又は”ＲＡＭＰ２ポリペプチド様活性”とは、ＲＡＭＰ２遺伝子によりコードされたポリペプチドにより伝達されるカルシトニン受容体様受容体（ＣＲＬＲ）に対するアドレノモジュリン結合の増加、ｃＡＭＰの増加、及び／又は内向き電流の増加を意味する。この様な活性は細胞に於いて、発現レベル（例えば細胞内に存在するポリペプチドのレベルを変化させることで）又は各ＲＡＭＰ２ポリペプチド分子の特異的機能特性（例えば結合親和性又は細胞シグナル伝達活性）を変更することで調節することができる。
【００２０】
”ＲＡＭＰ３ポリペプチド活性””ＲＡＭＰ３活性”又は”ＲＡＭＰ３ポリペプチド様活性”とは、ＲＡＭＰ３遺伝子によりコードされたポリペプチドにより伝達されるＣＲＬＲに対するアドレノモジュリン結合の増加、ｃＡＭＰの増加、及び／又は内向き電流の増加を意味する。この様な活性は細胞に於いて、発現レベル（例えば細胞内に存在するポリペプチドのレベルを変化させることで）又は各ＲＡＭＰ３ポリペプチド分子の特異的機能特性（例えば結合親和性又は細胞シグナル伝達活性）を変更することで調節できる。
【００２１】
”制御配列”とは、遺伝子の内因性発現を伝達するプロモーター及び／又はその他配列（例えばエンハンサー）を意味する。
発明のその他の特徴及び利点は、以下の詳細な説明及びクレームより明らかになるだろう。発明は特定実施態様と結びつけ記載されるが、その他の実施可能な変更及び改良も本発明の一部であり、添付クレームの範囲内にあることが理解されるだろう。本出願は、一般に当分野既知又は通常実務内にある、及び過度の実験なしに確認することができる本開示からの解離例を含む、発明の原理に従った発明等価体、変型、使用または適合についても適用範囲に入れることを意図している。核酸及びポリペプチドの作製及び利用に関するその他指針は微生物学、蛋白質科学及び免疫学の標準的教科書に見られる（例えばＤａｖｉｓら、Ｂａｓｉｃ  Ｍｅｔｈｏｄｓ  ｉｎ  Ｍｏｌｅｃｕｌａｒ  Ｂｉｏｌｏｇｙ、Ｅｌｓｅｖｉｒ  Ｓｃｉｅｎｃｅｓ  Ｐｕｂｌｉｓｈｉｎｇ、Ｉｎｃ．，Ｎｅｗ  Ｙｏｒｋ，ＮＹ，１９８６；Ｈａｍｅｓら、Ｎｕｃｌｅｉｃ  Ａｃｉｄ  Ｈｙｐｒｉｄｉｚａｔｉｏｎ、ＩＬ  Ｐｒｅｓｓ、１９８５；Ｍｏｌｅｃｕｌａｒ  Ｃｌｏｎｉｎｇ、Ｓａｍｂｒｏｏｋら、Ｃｕｒｒｅｎｔ  Ｐｒｏｔｏｃｏｌｓ  いｎ  Ｍｏｌｅｃｕｌａｒ  Ｂｉｏｌｏｇｙ、編集Ａｕｓｂｅｌら、Ｊｏｈｎ  Ｗｉｌｅｙａｎｄ  Ｓｏｎｓ；Ｃｕｒｒｅｎｔ  Ｐｒｏｔｏｃｏｌｓ  ｉｎ  ＨｕｍａｎＧｅｎｅｔｉｃｓ、編集。Ｄｒａｃｏｐｏｌｉら、Ｊｏｈｎ  Ｗｉｌｅｙ  ａｎｄ  Ｓｏｎｓ；Ｃｕｒｒｅｎｔ  Ｐｒｏｔｏｃｏｌｓ  ｉｎ  ＰｒｏｔｅｉｎＳｃｉｅｎｃｅ、編集。Ｊｏｈｎ  Ｅ．  Ｃｏｌｉｇａｎら、Ｊｏｈｎ  Ｗｉｌｅｙ  ａｎｄ  Ｓｏｎｓ；及びＣｕｒｒｅｎｔ  Ｐｒｏｔｏｃｏｌｓ  ｉｎ  Ｉｍｍｕｎｏｌｏｇｙ、編集。Ｊｏｈｎ  Ｅ．  Ｃｏｌｉｇａｎら、Ｊｏｈｎ  Ｗｉｌｅｙ  ａｎｄ  Ｓｏｎｓ参照）。ここに記した全ての参考文献は参照され取り込まれている。
【００２２】
本発明はＲＡＭＰ１又はＲＡＭＰ３遺伝子のいずれかを分断する遺伝的変更に関しヘテロ接合性又はホモ接合性である遺伝的に変更された、非ヒト哺乳動物を提供する。更に発明はＲＡＭＰ２遺伝子を分断する遺伝的変更に関しヘテロ接合性であり、それに代わってＲＡＭＰプロモーター／制御配列の制御下に発現されるレポーター遺伝子コーディング配列を与える、遺伝的に変更された非ヒト哺乳動物を特徴とする。本発明はまた、ＲＡＭＰ１、ＲＡＭＰ２又はＲＡＭＰ３遺伝子を分断する変更に関し接合性であるか又はホモ接合性である、遺伝的に変更されたヒト細胞を含む動物細胞も提供する。好ましくは、ヘテロ接合性細胞は、ＲＡＭＰコーディング配列に代わりＲＡＭＰプロモーター／制御配列の制御下にレポーター遺伝子コーディング配列が発現される様に遺伝的に変更されている。動物細胞は遺伝的に加工された培養細胞に由来するものであるか、又は非ヒト哺乳動物細胞の場合には細胞は上記遺伝的に変更された非ヒト哺乳動物より単離することができるだろう。
【００２３】
発明はさらに、各ＲＡＭＰ１、ＲＡＭＰ２又はＲＡＭＰ３の活性を変更する作用物質を投与することにより異常なＲＡＭＰ１、ＲＡＭＰ２又はＲＡＭＰ３活性と関連する病気又は状態、及び／又はこれら病気または状態の症状を治療すること、又は予防することに関する方法も提供する。具体的には、我々はＲＡＭＰ１分断（遺伝的に変更されたマウスホモ接合体（ＲＡＭＰ１−／−）の表現形の研究に基づいて、ＲＡＭＰ１が肝機能及び筋肉代謝に役割を果たしていることを見いだした。従って本発明は、ＲＡＭＰ１活性を変更する作用物質を投与することにより、うっ血性心不全、僧帽弁狭窄症、急性心筋梗塞の様な心臓、骨格筋又は平滑筋の病気又は状態、及び／又は症状、及び高血圧の様な血管及び心臓血管疾患の様な病気を治療する又は予防するための方法を提供する。本発明はまたＲＡＭＰ１活性を変更する作用物質を投与することによる慢性及び急性肝炎、肝肥大、脂肪肝、胆道閉鎖、胆石及び化学又は薬剤誘導肝毒性の様な肝細胞疾患又は状態、及び／又はそれらの症状を治療すること、又は予防するための方法も提供する。
【００２４】
発明の遺伝的に変更された非ヒト哺乳動物及び遺伝的に変更された動物細胞は、化学的突然変異誘導法（Ｒｉｎｃｈｉｋ、Ｔｒｅｎｄｓ  ｉｎ  Ｇｅｎｅｔｉｃｓ  ７：１５−２１、１９９１、Ｒｕｓｓｅｌｌ、Ｅｎｖｉｒｏｎｍｅｎｔａｌ  ＆  Ｍｏｌｅｃｕｌａｒ  Ｍｕｔａｇｅｎｅｓｉｓ  ２３（Ｓｕｐｐｌ．２４）２３−２９，１９９４）、放射線（Ｒｕｓｓｅｌｌ、上記）、単独又は触媒ＲＮＡリボザイム配列と組み合わせたＲＡＭＰ１又はＲＡＭＰ３遺伝子アンチセンスＲＮＡのトランスジェニック発現（Ｌｕｙｃｋｘら、Ｐｒｏｃ．Ｎａｔｌ．Ａｃａｄ．Ｓｃｉ．９６：１２１７４−７９、１９９９；Ｓｏｋｏｌら、Ｔｒａｎｓｇｅｎｉｃ  Ｒｅｓｅａｒｃｈ  ５：３６３−７１、１９９６；Ｅｆｒａｔら、Ｐｒｏｃ．Ｎａｔｌ．Ａｃａｄ．Ｓｃｉ．ＵＳＡ９１：２０５１−５５、１９９４；Ｌａｒｓｓｏｎら、Ｎｕｃｌｅｉｃ  Ａｃｉｄｓ  Ｒｅｓｅａｒｃｈ  ２２：２２４２−４８，１９９４）、及び以下詳細に論ずるように外来核酸配列のＲＡＭＰ１又はＲＡＭＰ３遺伝子座への挿入を含む遺伝的変更に関する当分野既知の複数の技術の一つにより分断された、少なくとも１個のＲＡＭＰ１、ＲＡＭＰ２又はＲＡＭＰ３遺伝子座を有している。好ましくは、外来配列は相同的組み換え、又はウイルスベクターの挿入により挿入される。最適には、遺伝子分断法は相同的組み換えであり、内因性ＲＡＭＰ１又はＲＡＭＰ３遺伝子配列部分の欠失を含む。
【００２５】
外来配列の組み込みは、以下のメカニズムの１またはそれ以上を通じＲＡＭＰ１又はＲＡＭＰ３遺伝子を分断する；ＲＡＭＰ遺伝子転写又は翻訳工程の妨害（例えばプロモーター認識を妨害することによる、又はＲＡＭＰ遺伝子内に転写終止部位又は転写停止コドンを導入することによる）；又は正常機能を持ったＲＡＭＰ１又はＲＡＭＰ３ポリペプチドをもはやコードしない様にＲＡＭＰ遺伝子コーディング配列を分断すること（例えばＲＡＭＰ遺伝子コーディング配列内に外来コーディング配列を挿入すること、フレームシフト突然変異を導入すること、又は二重交叉例に於いては機能を持ったＲＡＭＰ１又はＲＡＭＰ３蛋白質の発現に必要なＲＡＭＰ遺伝子コーディング配列の一部を欠失することによる）。  外来配列を細胞ゲノムのＲＡＭＰ遺伝子座内に挿入するために、外来ＤＮＡ配列はエレクトロポレーション、リン酸カルシウム沈殿法、レトロウイルス感染、マイクロインジェクション、バイオリスティックス、リポゾームトランスフェクション、ＤＥＡＥデキストラントランスフェクション、又はトランスフェリンフェクション（例えばＮｅｕｍａｎｎら、ＥＭＢＯ  Ｊ．１：８４１−８４５、１９８２；Ｐｏｔｔｅｒら、Ｐｒｏｃ．Ｎａｔｌ．Ａｃａｄ．Ｓｃｉ  ＵＳＡ８１：７１６１−６５，１９８４；Ｃｈｕら、Ｎｕｃｌｅｉｃ  Ａｃｉｄｓ  Ｒｅｓ．１５：１３１１−２６、１９８７；ＴｈｏｍａｓとＣａｐｅｃｃｈｉ、Ｃｅｌｌ  ５１：５０３−１２、１９８７；Ｂａｕｍら、Ｂｉｏｔｅｃｈｎｉｑｕｅｓ  １７：１０５８−６２，１９９４；Ｂｉｅｗｅｎｇａら、Ｊ．Ｎｅｕｒｏｓｃｉｅｎｃｅ  Ｍｅｔｈｏｄｓ  ７１ー７５，１９９７；Ｚｈａｎｇら、Ｂｉｏｔｅｃｈｎｉｑｕｅｓ  １５：８６８−７２、１９９３；ＲａｙとＧａｇｅ、Ｂｉｏｔｅｃｈｎｉｑｕｅｓ  １３：５９８−６０３、１９９２；Ｌｏ、Ｍｏｌ．Ｃｅｌｌ．Ｂｉｏｌ．３：１８０３−１４、１９８３；Ｎｉｃｋｏｌｏｆｆら、Ｍｏｌ．Ｂｉｏｔｅｃｈ．１０：９３−１０１、１９９８；Ｌｉｎｎｅｙら、Ｄｅｖ．Ｂｉｏｌ．（Ｏｒｌａｎｄｏ）２１３：２０７−１６、１９９９；ＺｉｍｍｅｒとＧｒｕｓｓ、Ｎａｔｕｒｅ  ３３８：１５０−１５３、１９８９；及びＲｏｂｅｒｔｓｏｎら、Ｎａｔｕｒｅ  ３２３：４４５−４８、１９８６参照）等当業者に良く知られている好適方法により細胞内に導入される。外来ＤＮＡの細胞内への挿入に関する好適方法はエレクトロポレーションである。
【００２６】
ＲＡＭＰ遺伝子へのＤＮＡ挿入の方法例
１．相同的組み換え
相同的組み換え法はＲＡＭＰ遺伝子を含む細胞内にＲＡＭＰ遺伝子ターゲティングベクターを導入することにより、ＲＡＭＰ１又はＲＡＭＰ３遺伝子を分断の標的とする。ベクターがＲＡＭＰ遺伝子を分断標的にする能力は、ベクター内に遺伝子と相同であるヌクレオチド配列を使用することに由来している。この相同領域がベクターとＲＡＭＰ１又はＲＡＭＰ３遺伝子の内因性配列間のハイブリダイゼーションを促進する。ハイブリダイゼーションにより標的としたベクターとゲノム配列間の交叉の発生が大きく増加する。この交叉の発生により、遺伝子座内へのベクター配列の組み込み、及びＲＡＭＰ１又はＲＡＭＰ３遺伝子の機能的分断がもたらされる。
【００２７】
当業者は、Ｂｒａｄｌｅｙら（Ｂｉｏｔｅｃｈｎｏｌ．１０：５３４、１９９２）に概論されている標的化に使用されるベクターの構築に関する一般原理を理解するだろう。相同的組み換えによるＤＮＡの挿入には、２種類のベクター：挿入ベクター又は交換ベクターが利用できる。挿入ベクターは２本鎖切断を有する遺伝子相同域を含む環状ＤＮＡである。相同域と内因性ＲＡＭＰ遺伝子間のハイブリダイゼーションに続き、２本鎖切断部に於ける単一交叉により交叉部位にて内因性遺伝子内への全ベクター配列の挿入が起こる。
【００２８】
相同的組み換えへの使用に関する、より好ましいベクターは環状ではなく共直線性である交換ベクターである。交換ベクターのＲＡＭＰ１又はＲＡＭＰ３遺伝子内への挿入は、二重交叉、即ちターゲティングベクターとＲＡＭＰ遺伝子間ハイブリダイゼーションの２カ所での交叉を必要とする。二重交叉はＲＡＭＰ１又はＲＡＭＰ３遺伝子内の２カ所に挟まれたベクター配列の組み込みと、２カ所の交叉部位間に本来存在している対応する内因性ＲＡＭＰ遺伝子配列の欠失をもたらす（例えばＴｈｏｍａｓとＧａｐｅｃｃｈｉら、Ｃｅｌｌ  ５１：５０３−１２、１９８７；Ｍａｎｓｏｕｒら、Ｎａｔｕｒｅ  ３３６：３４８−５２、１９８８；Ｍａｎｓｏｕｒら、Ｐｒｏｃ．Ｎａｔｌ．Ａｃａｄ。Ｓｃｉ．ＵＳＡ  ８７：７７８８−７６９２、１９９０；及びＭａｎｓｏｕｒ、ＧＡＴＡ  ７：２１９−２２７、１９９０参照）。
【００２９】
ターゲティングベクター内の相同域は一般に少なくとも１００ヌクレオチド長である。最適には相同域は少なくとも１−５キロベース（ｋｂ）長である。相同域として必要とされる最短長または最小関連性の例示されていない。しかし当業者は、相同的組み換えの標的効率が一般にターゲティングベクターと標的となる遺伝子座の間の長さ、及び関連性の程度に対応していることを認識するだろう。交換ベクターを使用する例では、内因性ＲＡＭＰ１又はＲＡＭＰ３遺伝子部分は相同的組み換えにより欠失されため、内因性ＲＡＭＰ１又はＲＡＭＰ３遺伝子の欠失部分の大きさについても考慮される。内因性遺伝子のこの部分が１Ｋｂより大きい長さの場合、組み換え効率を高めるためには１ｋｂより長い相同域を持つ標的カセットが推奨される。相同的組み換えに効果的である配列の選択及び使用に関するその他指針は文献に記載されている（例えばＤｅｎｇとＣａｐｅｃｃｈｉ、Ｍｏｌ．Ｃｅｌｌ．Ｂｉｏｌ．１２：３３６５−３３７１、１９９２；Ｂｏｌｌａｇら、Ａｎｎｕ．Ｒｅｖ．Ｇｅｎｅｔ．２３：１９９−２２５、１９８９；及びＷａｌｄｍａｎとＬｉｓｋａｙ、Ｍｏｌ．Ｃｅｌｌ．Ｂｉｏｌ．８：５３５０−５３５７、１９８８）。
【００３０】
本発明のＲＡＭＰ１又はＲＡＭＰ３遺伝子ターゲティングベクターの構築には、ｐＢｌｕｅｓｃｒｉｐｔ−関連プラスミド（例えばＢｌｕｅｓｃｒｉｐｔ  ＫＳ＋１１）、ｐＱＥ７０、ｐＱＥ６０、ｐＱＥ−９、ｐＢＳ、ｐＤ１０、ファージスクリプト、ｐｈｉＸ１７４、ｐＢＫ  Ｐｈａｇｅｍｉｄ、ｐＮＨ８Ａ、ｐＮＨ１６ａ、ｐＮＨ１８Ｚ、ｐＮＨ４６Ａ、ｐｔｒｃ９９ａ、ｐＫＫ２２３−３、ｐＫＫ２３３−３、ｐＤＲ５４０及びｐＲＩＴ５  ＰＷＬＮＥＯ、ｐＳＶ２ＣＡＴ、ｐＸＴ１、ｐＳＧ、ｐＢＲ３２５、ｐＫＨ４７、ｐＢＲ３２８、ｐＨＣ７９、ファージＣｈａｒｏｎ２８、ｐＫＢ１１、ｐＫＳＶ−１０，ｐＫ１９関連プラスミド、ｐＵＣプラスミド及びｐＧＥＭシリーズのプラスミドを含む広範囲のクローニングベクターをベクター主骨格として使用できるだろう。これらベクターは各種供給元から入手できる（例えばべーリンガーマンハイムイオケミカルス（Ｂｏｅｈｒｉｎｇｅｒ  Ｍａｎｎｈｅｉｍ  Ｂｉｏｃｈｅｍｉｃａｌｓ）、インディアナポリス（Ｉｎｄｉａｎａｐｏｌｉｓ）、インディアナ（ＩＮ）；キアゲン（Ｑｉａｇｅｎ）、バレンシア（Ｖａｌｅｎｃｉａ）カリフォルニア（ＣＡ）；ストラタジーン（Ｓｔｒａｔａｇｅｎｅ）、ラジョラ（Ｌａ  Ｊｏｌｌａ）、カリフォルニア（ＣＡ）；プロメガ（Ｐｒｏｍｅｇａ）、マジソン（Ｍａｄｉｓｏｎ）、ウイスコンシン（ＷＩ）；及びニューイングランドバイオラブス（Ｎｅｗ  Ｅｎｇｌａｎｄ  Ｂｉｏｌａｂｓ）、ベヴァリー（Ｂａｖｅｒｌｙ）、マサチューセッツ（ＭＡ））。しかしその他ベクター、例えばプラスミド、ウイルス又はその一部も、それらが所望宿主内にて複製可能であり、そして生存可能である限り利用できるだろう。ベクターはまたそのゲノムが変更される宿主に於いてそれを複製可能にする配列も含むだろう。この様なベクターの使用は、組み換えが起こる間の相互作用期間を延長でき、標的化の効率を高めることができる（Ｍｏｌｅｃｕｌａｒ  Ｂｉｏｌｏｇｙ、編集、Ａｕｓｕｂｅｌら、Ｕｎｉｔ９、１６、図９．１６．１参照）。
【００３１】
本発明のターゲティングベクターの調整に使用される具体的な宿主は重要ではない。例にはＥ．ｃｏｌｉ  Ｋ１２ＲＲ１（Ｂｏｌｉｖａｒら、Ｇｅｎｅ  ２：９５，１９７７）、Ｅ．ｃｏｌｉ  Ｋ１２ＨＢ１０１（ＡＴＣＣ番号３３６９４）、Ｅ．ｃｏｌｉＭＭ２１（ＡＴＣＣ番号３３６７８０）、Ｅ．ｃｏｌｉＤＨ１（ＡＴＣＣ番号３３８４９）、Ｅ．ｃｏｌｉ株ＤＨ５α及びＥ．ｃｏｌｉＳＴＢＬ２が含まれる。あるいはＳ．ｃｅｒｅｖｉｓｉａｅ又はＢ．ｓｕｂｔｉｌｉｓの様な宿主も利用できる。上記宿主は市販されている（例えばストラタジーン、ラジョラ、カリフォルニア；及びライフテクノロジーズ（Ｌｉｆｅ  Ｔｅｃｈｎｏｌｏｇｉｅｓ）、ロックビル（Ｒｏｃｋｖｉｌｌｅ）、メリーランド（ＭＤ））。
【００３２】
ターゲティングベクターを作成するために、ＲＡＭＰ１又はＲＡＭＰ３遺伝子標的化構築体が上記ベクター主骨格内に加えられる。発明のＲＡＭＰ遺伝子標的化構築体は少なくとも１個のＲＡＭＰ遺伝子相同領域を有する。遺伝子相同領域を作成するため、ＲＡＭＰ１又はＲＡＭＰ３遺伝子配列はポリメラーゼチェインリアクション（ＰＣＲ）プライマーを生ずるための基礎として使用される。これらプライマーは、高忠実性ＰＣＲ増幅によるＲＡＭＰゲノム又はｃＤＮＡ配列内所望領域の増幅に使用される（Ｍａｔｔｉｌａら、Ｎｕｃｌｅｉｃ  ＡｃｉｄｓＲｅｓ．１９：４９６７、１９９１；ＥｃｋｅｒｔとＫｕｎｋｅｌ  １：１７、１９９１；及び米国特許第４、６８３、２０２号）。ゲノム配列はクローンライブラリー又はゲノムＤＮＡ又はｃＤＮＡの標本から、好ましくはＲＡＭＰ遺伝子分断に関し標的とされる動物種より得られる。ヒト及びマウスＲＡＭＰ１に関するコーディング配列はＧｅｎＢａｎｋ登録番号ＡＪ００１０１４及びＢＡＡ７６６１７号にそれぞれ開示されている；ヒト及びマウスＲＡＭＰ３のコーディング配列はそれぞれジーンバンク登録番号ＡＪ００１０１６及びＡＡＤ３５０２０に開示されている。
【００３３】
好ましくは、発明の標的化構築体はポジティブマーカー蛋白質をコードする外来性ヌクレオチド配列も含む。ベクター組み込み後のポジティブマーカーの安定発現は、細胞生存性を犠牲にすることなく細胞に特定可能な特性を付与する。従って、交換ベクター例ではマーカー遺伝子は２カ所ある連結相同域の間に配置されているため、二重交叉の結果それはＲＡＭＰ１またはＲＡＭＰ３遺伝子内に組み込まれる。ポジティブマーカー蛋白質は選択可能な蛋白質；細胞内での蛋白質の安定発現が選択可能な表現形上の特性；即ち、そうでない場合には致死的である条件の下で細胞の生存を高める特性を付与する蛋白質であることが好ましい。即ち選択条件に曝すことで、ポジティブマーカーをコードしているベクター配列を安定して発現している細胞を、生存性に基づきベクター配列を上手く組み込めなかったその他細胞から分離することができる。ポジティブ選択可能マーカー蛋白質の例（及びそれらの選択の作用物質）にはＮｅｏ（Ｇ４１８又はカナマイシンキナーゼ）、Ｈｙｇ（ヒグロマイシン）、ＨｉｓＤ（ヒスチジノール）、Ｇｐｔ（キサンチン）、Ｂｌｅ（ブレオマイシン）及びＨｐｒｔ（ヒポキサンチン）（例えばＣａｐｅｃｃｈｉとＴｈｏｍａｓ、米国特許第５、４６４、７６４号、及びＣａｐｅｃｃｈｉ、Ｓｃｉｅｎｃｅ  ２４４：１２８８−９２，１９８９参照）が含まれる。選択可能マーカーの代替として使用できるであろうその他ポジティブマーカーには、β−ガラクトシダーゼ、ホタルルシフェラーゼ、又はグリーン蛍光蛋白質（例えばＣｕｒｒｅｎｔ  Ｐｒｏｔｏｃｏｌｓ  ｉｎ  Ｃｙｔｏｍｅｔｒｙ、Ｕｎｉｔ９．５、及びＣｕｒｒｅｎｔ  Ｐｒｏｔｏｃｏｌｓ  ｉｎＭｏｌｅｃｕｌａｒ  Ｂｉｏｌｏｇｙ，Ｕｎｉｔ９．６、Ｊｏｈｎ  Ｗｉｌｅｙ  ＆  Ｓｏｎｓ、Ｎｅｗ  Ｙｏｒｋ、ＮＹ、２０００参照）が含まれる。
【００３４】
上記ポジティブ選択段階はＲＡＭＰ１又はＲＡＭＰ３遺伝子座での標的化相同的組み換えにより組み込まれたベクターを有する細胞と、いずれかの染色体位置内にベクター配列を無作為、非相同的に組み込んだ細胞と区別しない。従って、相同的組み換えに関する交換ベクターを使用した場合には、ネガティブ選択マーカー蛋白質をコードしているヌクレオチド配列を含めることも好ましい。ネガティブ選択可能マーカーの発現は、特定の作用物質に細胞が曝されたときに細胞の生存性を失わせるマーカーを細胞に発現させる（例えばマーカー蛋白質が特定の選択可能条件下には細胞に対し致死的となる）。ネガティブ選択可能マーカー（及び致死性のそれら作用物質）の例には単純ヘルペスウイルスチミジンキナーゼ（ガンシクロビル又は１、２−デオキシ−２−フルオロ−α−ｄ−アラビノフラニンシル−５−インドウラシル）、Ｈｐｒｔ（６−チオグアニン又は６−チオキサンチン）及びジフテリア毒素、リシン毒素、又はシトシンジアミナーゼ（５−フルオロシトシン）が含まれる。
【００３５】
ネガティブ選択可能マーカーをコードしているヌクレオチド配列は交換ベクターの２カ所ある相同域の外側に配置される。ここに位置せしめることで、細胞は、組み込みが無作為、非相同的組み換えにより起こった場合にのみネガティブ選択可能マーカーを組み込み、そして安定に発現する；ＲＡＭＰ１又はＲＡＭＰ３遺伝子と標的化構築体内にある２カ所の相同領域間に相同的組み換えが起こると、組み込みからネガティブ選択可能マーカーが排除される。即ち、ネガティブ条件にすることで、無作為、非相同的組み換えによりターゲティングベクターを取り込んでいた細胞は生存性を失う。
【００３６】
ポジティブ及びネガティブ選択可能マーカーの組み合わせは、一連のポジティブ及びネガティブ選択段階が相同的組み換えによるベクター組み込みを行った細胞、即ち分断型ＲＡＭＰ１又はＲＡＭＰ３遺伝子を持つ可能性のある細胞のみを選択する様に工夫できることから、発明の遺伝的に変更された非ヒト哺乳動物及び動物細胞の作成に関する好適な選択様式である。ポジティブ−ネガティブ選択様式、選択マーカー、及び標的化構築体のその他の例は、例えば米国特許第５、４６４、７６４号、ＷＯ９４／０６９０８号、及びＶａｌａｎｃｉｕｓとＳｍｉｔｈｉｅｓ、Ｍｏｌ．Ｃｅｌｌ．Ｂｉｏｌ．１１：１４０２，１９９１に記載されている。
【００３７】
マーカー蛋白質に関してベクター組み込みにより安定して発現させるためには、組み込みによりマーカーコーディング配列が内因性ＲＡＭＰ１又はＲＡＭＰ３遺伝子プロモーターと動作可能に連結される様にターゲティングベクターは設計されるだろう。次に通常はＲＡＭＰ１又はＲＡＭＰ３遺伝子を発現させる細胞内の内因性遺伝子プロモーターによりマーカーの発現が起こる。この後者の様式は、典型的にはＲＡＭＰ１又はＲＡＭＰ３遺伝子を発現しない細胞に於いてマーカー発現を可能にするという利点を有している（ＳｍｉｔｈとＢｅｒｇ、ＣｏｌｄＳｐｒｉｎｇ  Ｈａｒｂｏｒ  Ｓｙｍｐ．Ｑｕａｎｔ．Ｂｉｏｌ．４９：１７１、１９８４；ＳｅｄｉｖｙとＳｈａｒｐ、Ｐｒｏｃ．Ｎａｔｌ．Ａｃａｄ．Ｓｃｉ．（ＵＳＡ）８６：２２７：１９８９；ＴｈｏｍａｓとＣａｐｅｃｃｈｉ、Ｃｅｌｌ  ５１：５０３，１９８７）。
【００３８】
マーカー遺伝子発現の駆動に使用可能な外因性プロモーターは細胞特異的又は段階特異的プロモーター、構成的プロモーター及び誘導可能又は制御可能プロモーターが含まれる。これらプロモーターの例には単純ヘルペスキナーゼプロモーター、サイトメガロウイルス（ＣＭＶ）プロモーター／エンハンサー、ＳＶ４０プロモーター、ＰＧＫプロモーター、ＰＭＣ１−ｎｅｏ、メタロチオネインプロモーター、アデノウイルス後期プロモーター、ワクシニアウイルス７．５ｋプロモーター、トリベータグロビンプロモーター、ヒストンプロモーター（例えばマウスヒストンＨ３−６１４）、ベータアクチンプロモーター、ニューロン特異的エノラーゼ、筋肉アクチンプロモーター、及びカリフラワーモザイクウイルス３５Ｓプロモーター（一般的には、Ｓａｍｂｒｏｏｋら、Ｍｏｌｅｃｕｌａｒ  Ｃｌｏｎｉｎｇ，Ｉ−ＩＩＩ巻、Ｃｏｌｄ  Ｓｐｒｉｎｇ  Ｈａｒｂｏｒ  Ｌａｂｏｒａｔｏｒｙ  Ｐｒｅｓｓ、Ｃｏｌｄ  Ｓｐｒｉｎｇ  Ｈａｒｂｏｒ、ＮＹ、１９８９及びＣｕｒｒｅｎｔ  Ｐｒｏｔｏｃｏｌｓ  ｉｎ  ＭｏｌｅｃｕｌａｒＢｉｏｌｏｇｙ、Ｊｏｈｎ  Ｗｉｌｅｙ  ＆  Ｓｏｎｓ、Ｎｅｗ  Ｙｏｒｋ，ＮＹ、２０００；Ｓｔｒａｔａｇｅｎｅ、Ｌａ  Ｊｏｌｌａ，ＣＡ参照）。
【００３９】
細胞が標的遺伝子座内にベクター配列を組み込んでいるか確認するために、所望ベクターの組み込みに関し特異的であるプライマー又はゲノムプローブをＰＣＲ又はサザンブロット分析と組み合わせて使用することで、ＲＡＭＰ１又はＲＡＭＰ３遺伝子座内への所望ウイルスの組み込みの有無を特定できる（Ｅｒｌｉｃｈら、Ｓｃｉｅｎｃｅ  ２５２：１６４３−５１，１９９１；ＺｉｍｍｅｒとＧｒｕｓｓ、Ｎａｔｕｒｅ  ３３８：１５０、１９８９；Ｍｏｕｅｌｌｉｃら、Ｐｒｏｃ．Ｎａｔｌ．Ａｃａｄ．Ｓｃｉ．（ＵＳＡ）８７：４７１２、１９９０；及びＳｈｅｓｅｌｙら、Ｐｒｏｃ．Ｎａｔｌ．Ａｃａｄ．Ｓｃｉ．（ＵＳＡ）８８：４２９４、１９９１）。
【００４０】
２．ジーンターゲティング
外来核酸配列をＲＡＭＰ１、ＲＡＭＰ２又はＲＡＭＰ３遺伝子座に挿入し、遺伝子を分断することに利用可能な別の方法はジーンターゲティングである。この方法は、エクソンをｍＲＮＡにスプライシングし無作為的に遺伝子内に遺伝子トラップベクターコーディング配列を挿入するという、全ての哺乳動物細胞内に存在する細胞機構を利用する。挿入されると遺伝子トラップベクターは、トラップされたＲＡＭＰ遺伝子を分断する突然変異を作り出す。相同的組換えに対し、この突然変異に関するシステムは、非常に無作為的に突然変異を作り出す。即ち、分断ＲＡＭＰ遺伝子を含む遺伝的に変更された細胞を得るためには、各種遺伝子内に無作為に突然変異を含む細胞の集団よりこの特別な突然変異を含む細胞を特定して選別する必要がある。
【００４１】
遺伝子トラッピングシステム及びベクターは、ネズミ細胞又はその他のタイプの細胞の遺伝的な変更への使用に関し既述されている（例えばＡｌｌｅｎら、Ｎａｔｕｒｅ  ３３３：８２５−５５、１９８８；Ｂｅｌｌｅｎら、Ｇｅｎｅｓ  Ｄｅｖ。３：１２８８−１３００、１９８９；Ｂｉｅｒら、Ｇｅｎｅｓ  Ｄｅｖ。３：１２７３−１２８７、１９８９； Ｂｏｎｎｅｒｏｔら、Ｊ．Ｖｉｒｏｌ。６６：４９８２−９１、１９９２；Ｂｒｅｎｎｅｒら、Ｐｒｏｃ．Ｎａｔ．Ａｃａｄ．Ｓｃｉ．ＵＳＡ  ８６；５５１７−２１、１９８９；Ｃｈａｎｇら、Ｖｉｒｏｌｏｇｙ  １９３：７３７−４７、１９９３；ＦｒｉｅｄｒｉｃｈとＳｏｒｉａｎｏ、Ｍｅｔｈｏｄｓ  Ｅｎｚｙｍｏｌ．２２５：６８１−７０１。１９９３；ＦｒｉｅｄｒｉｃｈとＳｏｎｉａｎｏ、Ｇｅｎｅｓ  Ｄｅｖ．５：１５１３−２３、１９９１；Ｇｏｆｆ、Ｍｅｔｈｏｄｓ  Ｅｎｚｙｍｏｌ．１５２：４６９−８１、１９８７；Ｇｏｓｓｉｅｒら、Ｓｃｉｅｎｃｅ  ２４４：４６３−６５、１９８９；Ｈｏｐｅ、Ｄｅｖｅｌｏｐ．１１３：３９９−４０８、１９９１；Ｋｅｒｒら、Ｃｏｌｄ  Ｓｐｒｉｎｇ  Ｈａｒｂ．Ｓｙｍｐ．Ｑｕａｎｔ。Ｂｉｏｌ．２：７６７−７７６、１９８９；Ｒｅｄｄｙら、Ｊ．Ｖｉｒｏｌ．６５：１５０７−１５１５、１９９１；Ｒｅｄｄｙら、Ｐｒｏｃ．Ｎａｔｌ．Ａｃａｄ．Ｓｃｉ．Ｕ．Ｓ．Ａ．８９：６７２１−２５、１９９２；Ｓｈａｒｎｅｓら、Ｇｅｎｅｓ  Ｄｅｖ．６：９０３−９１８、１９９２；ｖｏｎ  ＭｅｌｃｈｎｅｒとＲｕｌｅｙ、Ｖｉｒｏｌ．６３：３２２７−３２３３、１９８９；及びＹｏｓｈｉｄａら、Ｔｒａｎｓｇｅｎ．Ｒｅｓ．４：２７７−８７、１９９５参照）。  プロモータートラップ、又は５’、ベクターは、５’から３’の方向に、スプライスアクセプター配列、それに続き典型的には翻訳開始コドン及びオープンリーディングフレームにより特徴付けられるエクソン、及び／又は内部リボソーム開始部位を含む。一般には、これらプロモータートラップベクターはプロモーターまたは作動可能に連結されたスプライスドナー配列を含まない。結果として宿主細胞の細胞ゲノム内に組み込まれることでプロモータートラップベクター配列が上流遺伝子の正常スプライシングを中断し、終末エクソンとして機能する。ベクターコーディング配列の発現は、ベクターが分断遺伝子イントロン内に適当な読みとり枠として組み込まれたかに依存している。この様な例では、細胞スプライシング機構はベクターコーディング配列の上流にあるトラップ遺伝子からエクソンをスプライシングする（Ｚａｍｂｒｏｗｉｃｚら、ＷＯ９９／５０４２６）。
【００４２】
上記プロモータートラップベクターに類似の効果を生ずる別手段は、プロモータートラップベクターのスプライスアクセプターと翻訳開始コドン又はポリアデニレーション配列との間の領域内に存在するか、あるいは存在する様に加工されたストップコドンのネステッドセットを取り込むベクターである。コーディング配列は独立したリボソーム浸入部位（ＩＲＥＳ）を含む様に加工することができ、その結果コーディング配列は宿主細胞ゲノム内の組み込み位置に大きく依存する形で発現される。典型的にはＩＲＥＳはストップコドンのネステッドセットと組合せて使用されるが、絶対ではない。
【００４３】
遺伝子トラッピングの別の様式は３’遺伝子トラップベクターを使用する。このタイプのベクターは、動作可能な組合せとして接続したコーディング配列の発現を伝達するプロモーター領域、コーディング配列及びコーディング配列エクソンの３’末端を規定するスプライスドナー配列を含む。宿主細胞ゲノム内への組み込み後、ベクタープロモーターにより発現された転写体は、組み込まれた遺伝子トラップベクター配列の下流に位置するトラップされた遺伝子よりスプライスアクセプター配列にスプライシングされる。即ち、ベクターの組み込みにより、３’遺伝子トラップカセットのコーディング配列及び終末エクソンとそのポリアデニレーションシグナルを含む下流の細胞性エクソンを含む融合転写体の発現をもたらす。この様なベクターが遺伝子に組み込まれると、細胞のスプライシング機構がトラップされた遺伝子の３’エクソンの上流にあるベクターコーディング配列をスプライシングする。この様なベクターの利点の一つは、３’遺伝子トラップベクターの発現が遺伝子トラップカセット内にあるプロモーターにより駆動され、宿主細胞内で正常に発現される遺伝子内への組み込みが必要ないことである（Ｚａｍｂｒｏｗｉｃｚら、ＷＯ９９／５０４２６）。３’遺伝子トラップベクター内に組み込まれるであろう転写プロモーター及びエンハンサーの例には、ターゲティングベクターに関する上記の例が含まれる。
【００４４】
プロモーター又は３’遺伝子トラップベクターの構造成分として使用するウイルスベクター主骨格は、標的細胞のゲノム内に挿入可能な広範囲のベクターから選択できるだろう。好適主骨格ベクターには単純ヘルペスウイルスベクター、アデノウイルスベクター、アデノ関連ウイルスベクター、レトロウイルスベクター、レンチウイルスベクター、仮性狂犬病ウイルスベクター、アルファ−ヘルペスウイルスベクター等が含まれるが、これらに限定されない。ウイルスベクターの概要、特に非複製細胞を変更する好適ウイルスベクター及びこれらベクターの外因性ポリヌクレオチド配列と結びつけた使用方法は、Ｖｉｒａｌ  Ｖｅｃｔｏｒｓ：Ｇｅｎｅ  Ｔｈｅｒａｐｙ  ａｎｄ  Ｎｅｕｒｏｓｃｉｅｎｃｅ  Ａｐｐｌｉｃａｔｉｏｎｓ、編集  Ｃａｐｌｉｔｔ及びＬｏｅｗｙ、Ａｃａｄｅｍｉｃ  Ｐｒｅｓｓ、Ｓａｎ  Ｄｉｅｇｏ、１９９５に見いだすことができる。
【００４５】
好ましくは、レトロウイルスベクターが遺伝子トラッピングに使用される。これらベクターは米国特許第５、４４９、６１４号に記載の様なレトロウイルスパッケージング細胞株と共に使用することができる。ネズミ以外の哺乳動物の細胞を遺伝的変更に関する標的細胞として使用する場合には、両栄養性又は向汎性パッケージング細胞株を使い好適ベクターをパッケージングすることができる（Ｏｒｙら、Ｐｒｏｃ．Ｎａｔｌ．Ａｃａｄ．Ｓｃｉ.、ＵＳＡ  ９３：１１４００−１１４０６、１９９６）。ここに記載の遺伝子トラップベクターの作製に適合できる代表的レトロウイルスベクターは例えば米国特許第５、５２１、０７６号に記載されている。
【００４６】
遺伝子トラッピングベクターは相同的組み換えに使用されるターゲティングベクターに関して上記論じたポジティブマーカー遺伝子の１またはそれ以上を含んでもよい。ターゲティングベクターでの使用同様、これらポジティブマーカーは遺伝子トラッピングベクター内に使用され、細胞ゲノム内にベクターを組み込んだ細胞を特定し、選別する。マーカー遺伝子をＩＲＥＳを含む様にに加工し、ベクターが標的細胞ゲノム内に組み込まれている位置に殆ど無関係な形でマーカーが発現される様にしてもよい。
【００４７】
遺伝子トラップベクターが完全に無作為な形で感染宿主細胞ゲノム内に組み込まれた場合には、無作為にベクターが組み込まれた細胞集団から分断型ＲＡＭＰ１、ＲＡＭＰ２又はＲＡＭＰ３遺伝子を有する遺伝的に変更された細胞を識別しなければならない。好ましくは、細胞集団中の遺伝的変更は十分な無作為性と頻度を有し、その結果集団が細胞ゲノムに見いだされる実質全ての遺伝子について突然変異を表し、それにより所望する分断型ＲＡＭＰ遺伝子を持つ細胞が集団から識別されることを可能にする（Ｚａｍｂｒｏｗｉｃｚら、ＷＯ９９／５０４２６；Ｓａｎｄｓら、ＷＯ９８／１４６１４参照）。
【００４８】
分断型ＲＡＭＰ１、ＲＡＭＰ２又はＲＡＭＰ３遺伝子を含む個々の突然変異細胞株は、例えば遺伝子配列内の突然変異を同定する逆転写及びＰＣＲを使用し突然変異誘導細胞集団中に識別される。この工程はクローンをプールすることで能率化できる。例えば、分断型ＲＡＭＰ遺伝子を含む個々のクローンを見いだすために、遺伝子トラップベクター内に固定された１プライマーとＲＡＭＰ遺伝子配列内に位置するもう一方のプライマーを使用しＲＴ−ＰＣＲが行われる。ＲＴ−ＰＣＲ結果が陽性であることは、ベクター配列がＲＡＭＰ遺伝子転写体内にコードされていること、即ちＲＡＭＰ遺伝子が遺伝子トラップの組み込みにより分断されたことを示す（例えばＳａｎｄｓら、ＷＯ９８／１４６１４参照）。
【００４９】
時間的、空間的、及び誘導性ＲＡＭＰ遺伝子分断
本発明のある実施態様では、内因性ＲＡＭＰ１、ＲＡＭＰ２又はＲＡＭＰ３遺伝子の機能的分断は、特定の発生段階又は細胞周期段階（時間的分断）、又は特異的な細胞型（空間的分断）にて生ずる。別の実施態様では、遺伝子分断は誘導性である。特定の発生段階、特異的な組織又は細胞型、又は特定の環境条件下にＲＡＭＰ遺伝子を活性化する、又は不活性化するためにＣｒｅ−Ｌｏｘシステムを使用してもよいだろう。一般にＣｒｅ−Ｌｏｘ技術の利用方法はＴｏｒｒｅｓとＫｕｈｎ、Ｌａｂｏｒａｔｏｒｙ  Ｐｒｏｔｏｃｏｌｓ  ｆｏｒ  Ｃｏｎｄｉｔｉｏｎａｌ  Ｇｅｎｅ  Ｔａｒｇｅｔｉｎｇ、Ｏｘｆｏｒｄ  Ｕｎｉｖｅｒｓｉｔｙ  Ｐｒｅｓｓ、１９９７に記載の如くに実施される。ＦＬＰ−ＦＲＴシステムを利用し、Ｃｒｅ−Ｌｏｘシステムに関する記載に類似した方法を利用することもできる。ＦＬＰ−ＦＲＴシステム、及び相同的組み換え又はウイルス挿入による条件付きの遺伝子分断に関するリコンビナーゼ切り出しシステムの利用に関するその他指針は文献に提供されている（例えば米国特許第５、６２６、１５９号、米国特許第５、５２７、６９５号、米国特許第５、４３４、０６６号、Ｇａｉｔａｎａｒｉｓ、ＷＯ９８／２９５３３号、Ｏｒｂａｎら、Ｐｒｏｃ．Ｎａｔ．Ａｃａｄ．Ｓｃｉ．ＵＳＡ  ８９：６８６１−６５、１９９２；Ｏ’Ｇｏｒｍａｎら、Ｓｃｉｅｎｃｅ  ２５１：１３５１−５５、１９９１；Ｓａｕｅｒら、Ｎｕｃｌｅｉｃ  Ａｃｉｄｓ  Ｒｅｓｅａｒｃｈ  １７：１４７−６１、１９８９；Ｂａｒｉｎａｇａ、Ｓｃｉｅｎｃｅ  ２６５：２６−２８、１９９４；及びＡｋａｇｉら、Ｎｕｃｌｅｉｃ  Ａｃｉｄｓ  Ｒｅｓ．２５：１７６０−７３、１９９７）。１より多くのリコンビナーゼシステムを使用し、動物又は細胞を遺伝的に変更することができる。
【００５０】
時間的、空間的、又は誘導性の様式にて所望ＲＡＭＰ遺伝子を分断するために相同的組み換えを利用し、Ｃｒｅ−Ｌｏｘシステムの様なリコンビナーゼシステムを使用する場合には、ＲＡＭＰ遺伝子コーディング領域ＲＡＭＰ１、ＲＡＭＰ２又はＲＡＭＰ３遺伝子コーディング域の一部は、ＬｏｘＰ部位側方に並ぶＲＡＭＰ遺伝子コーディング域を含む標的構築体により置き換えられる。この遺伝的変更を持つ非ヒト哺乳動物及び動物細胞は、機能性ｌｏｘＰ−並列ＲＡＭＰ遺伝子を含む。ＲＡＭＰ遺伝子分断の時間的、空間的又は誘導性側面は、追加のトランス遺伝子、Ｃｒｅリコンビナーゼトランス遺伝子の発現パターンにより引き起こされ、それらはそれぞれ所望の空間的制御、時間的制御又は誘導性プロモーターの制御の下に非ヒト哺乳動物又は動物細胞中に発現される。Ｃｒｅリコンビナーゼは組み換えに関しｌｏｘＰ部位を標的とする。従って、Ｃｒｅ発現が活性化されるとされると、ＬｏｘＰ部位は組み換えを起こしサンドイッチされたＲＡＭＰ遺伝子コーディング配列を切り出し、結果としてＲＡＭＰ遺伝子の機能的分断が起こる（Ｒａｊｅｗｓｋｉら、Ｊ．Ｃｌｉｎ．Ｉｎｖｅｓｔ．９８：６００−０３、１９９６；Ｓｔ−Ｏｎｇｅら、Ｎｕｃｌｅｉｃ  Ａｃｉｄｓ  Ｒｅｓ．２４：３８７５−７７、１９９６；Ａｇａｈら、Ｊ．Ｃｌｉｎ．Ｉｎｖｅｓｔ．１００：１６９−７９、１９９７；、Ｂｒｏｃａｒｄら、Ｐｒｏｃ．Ｎａｔｌ．Ａｃａｄ．Ｓｃｉ．ＵＳＡ９４：１４５５９−６３、１９９７；Ｆｅｉｌら、Ｐｒｏｃ．Ｎａｔｌ．Ａｃａｄ．Ｓｃｉ．ＵＳＡ９３：１０８８７−９０、１９９６；及びＫｕｈｎら、Ｓｃｉｅｎｃｅ２６９：１４２７−２９，１９９５）。
【００５１】
Ｃｒｅリコンビナーゼトランス遺伝子及びｌｏｘＰ−並列ＲＡＭＰ遺伝子を両方含む細胞は、標準的トランスジェニック技術によるか、又は遺伝的に変更された非ヒト哺乳動物例では、一方の親がｌｏｘＰ並列ＲＡＭＰ遺伝子を含み、もう一方の親が所望プロモーター制御下にＣｒｅリコンビナーゼトランス遺伝子を含むものである遺伝的に変更された非ヒト哺乳動物を交配させることで作成することができる。リコンビナーゼ系及びＲＡＭＰ遺伝子の条件的分断に有用な特異的プロモーターに関する更なる指針は、例えばＳａｕｅｒ、Ｍｅｔｈ．Ｅｎｚ．２２５：８９０−９００、１９９３、Ｇｕら、Ｓｃｉｅｎｃｅ  ２６５：１０３−０６、１９９４、Ａｒａｋｉら、Ｊ．Ｂｉｏｃｈｅｍ．１２２：９７７−８２、１９９７、Ｄｙｍｅｃｋｉ、Ｐｒｏｃ．Ｎａｔｌ．Ａｃａｄ．Ｓｃｉ．９３：６１９１−９６、及びＭｅｙｅｒｓら、Ｎａｔｕｒｅ  Ｇｅｎｅｔｉｃｓ  １８：１３６−４１、１９９８に見いだされる。
【００５２】
ＲＡＭＰ１、ＲＡＭＰ２又はＲＡＭＰ３遺伝子の誘導性分断は、テトラサイクリン反応性バイナリーシステム（ＧｏｓｓｅｎとＢｕｊａｒｄ、Ｐｒｏｃ．Ｎａｔｌ．Ａｃａｄ．Ｓｃｉ．ＵＳＡ  ８９：５５４７−５１、１９９２）を使用することで達成することもできる。本システムは細胞を遺伝的に変更し、内因性ＲＡＭＰ１、ＲＡＭＰ２又はＲＡＭＰ３遺伝子制御要素内にＴｅｔプロモーター及びテトラサイクリン制御可能レプレッサー（ＴｅｔＲ）を発現しているトランス遺伝子を導入することを含む。この様な細胞ではテトラサイクリンの投与によりＴｅｔＲが活性化され、次にこれがＲＡＭＰ遺伝子発現を抑制し、その結果ＲＡＭＰ遺伝子が分断される（Ｓｔ−Ｏｎｇｅら、Ｎｕｃｌｅｉｃ  Ａｃｉｄｓ  Ｒｅｓ．２４：３８７５−７７、１９９６、米国特許第５、９２２、９２７号）。
【００５３】
ＲＡＭＰ遺伝子の時間的、空間的及び誘導性分断はまた、例えばＧａｉｔａｎａｒｉｓら、ＷＯ９８／２９５３３に記載の様に、遺伝的変更方法として遺伝子トラッピングを利用しても可能である。
【００５４】
遺伝的に変更された非ヒト哺乳動物及び動物細胞
遺伝的変更に関する上記方法を利用し、実質的に動物由来のいずれの体細胞又は幹細胞でもＲＡＭＰ１、ＲＡＭＰ２又はＲＡＭＰ３遺伝子を分断することができる。発明の遺伝的に変更された動物細胞にはヒト細胞を含む哺乳動物細胞、及びトリ細胞が含まれるが、これに限定されない。これら細胞は、培養適合、腫瘍形成性、又は形質転換細胞株の様な遺伝的に加工された何れかの動物細胞株であるか、又はそれらはＲＡＭＰ遺伝子に対し所望の遺伝的変更を有している遺伝的に変更された非ヒト哺乳動物から単離されるだろう。
【００５５】
細胞はＲＡＭＰ遺伝子分断に関しヘテロ接合性（＋／−）であるか、又はホモ接合性（−／−）である。ＲＡＭＰ遺伝子分断に関しホモ接合性である細胞を得るためには、両対立遺伝子の直接的な連続標的化が実施できる。この工程は、ポジティブ選択可能マーカーを反復することで容易になる。この様式によれば、ポジティブ選択可能マーカーをコードするヌクレオチド配列は、Ｃｒｅ−ＬｏｘＰ系を利用し１個のＲＡＭＰ１、ＲＡＭＰ２又はＲＡＭＰ３対立遺伝子を分断した後取り除かれる。従って、第２の各ＲＡＭＰ１、ＲＡＭＰ２又はＲＡＭＰ３遺伝子対立遺伝子座を分断を目的とした２回目の操作にも同一ベクターを使用することができる（ＡｂｕｉｎとＢｒａｄｌｅｙ、Ｍｏｌ．Ｃｅｌｌ．Ｂｉｏｌ。１６：１８５１−５６、１９６６；Ｓｅｄｉｖｙら、Ｔ．Ｉ．Ｇ．１５：８８−９０、１９９９；Ｃｒｕｚら、Ｐｒｏｃ．Ｎａｔｌ．Ａｃａｄ．Ｓｃｉ．（ＵＳＡ）８８：７１７０−７４、１９９１；Ｍｏｒｔｅｎｓｅｎら、Ｐｒｏｃ．Ｎａｔｌ．Ａｃａｄ．Ｓｃｉ．（ＵＳＡ）８８：７０３６−４０、１９９１；ｔｅ  Ｒｉｅｌｅら、Ｎａｔｕｒｅ（Ｌｏｎｄｏｎ）３４８：６４９−６５１、１９９０）。  ＲＡＭＰ遺伝子分断に関しホモ接合性であるＥＳ細胞を得るための別の方策は、ＲＡＭＰ分断に関しヘテロ接合性である細胞集団からの細胞ホモ接合体化である。方法は、選択可能な薬剤耐性マーカーを発現しているヘテロ接合体標的クローンを非常に高濃度の薬剤に対し選択する方法を利用する；この選択では薬剤耐性マーカーをコードする配列を２コピー発現する細胞、即ちＲＡＭＰ遺伝子分断に関するホモ接合体（Ｍｏｒｔｅｎｓｅｎら、Ｍｏｌ．Ｃｅｌｌ．Ｂｉｏｌ．１２：２３９１−９５、１９９２）に有利である。更にＲＡＭＰ１又はＲＡＭＰ３遺伝子分断に関しホモ接合体である遺伝的に変更された動物細胞は、ＲＡＭＰ１＋／−又はＲＡＭＰ３＋／−ヘテロ接合体を下記詳細に記すように交配することで作られる、遺伝的に変更されたＲＡＭＰ１−／−又はＲＡＭＰ３＋／−非ヒト哺乳動物から得ることができる。
【００５６】
所望細胞又は細胞株の遺伝的変更に続いて、当分野既知である標準的ＰＣＲによるＰＣＲ分析又はサザンブロティング法により変更部位としてＲＡＭＰ１，ＲＡＭＰ２又はＲＡＭＰ３遺伝子座を確認することができる（例えば米国特許第４、６８３、２０２号；及びＥｒｌｉｃｈら、Ｓｃｉｅｎｃｅ  ２５２：１６４３、１９９１参照）。遺伝的変更が所望ＲＡＭＰ遺伝子を分断する更なる証明は、ＲＡＭＰ１、ＲＡＭＰ２又はＲＡＭＰ３遺伝子ｍＲＡＮレベル及び／又はポリペプチドレベルが正常時にはＲＭＡＰ遺伝子を発現している細胞において低下することでも証明される。ＲＡＭＰ遺伝子ｍＲＮＡレベルの測定は逆転写トランスクリプターゼを利用したＰＣＲ（ＲＴ−ＰＣＲ）、ノーザンブロット分析、又はインサイチューハイブリダイゼーションによって得られるだろう。細胞が産生したＲＡＭＰポリペプチドレベルの定量化は、例えば当分野既知の標準的免疫アッセイ法により実施できる。この様な免疫アッセイにはラジオ免疫アッセイ、ＥＬＩＳＡ（酵素結合免疫吸着アッセイ）、”サンドイッチ”免疫アッセイ、免疫ラジオメトリックアッセイ、ゲル拡散沈殿反応、免疫拡散アッセイ、インサイチュー免疫アッセイ（例えば金コロイド、酵素又は放射性同位元素標識体を利用した）、ウエスタンブロット、沈降反応、免疫蛍光アッセイ、プロテインＡアッセイ、免疫電気泳動アッセイの様な技術を利用した競合的、及び非競合的アッセイ系を含むが、これらに限定されない。
【００５７】
好ましい遺伝的に変更された動物細胞はＥＳ細胞及びＥＳ様細胞である。これら細胞はマウス（Ｅｖａｎｓら、Ｎａｔｕｒｅ１２９：１５４−１５６、１９８１；Ｍａｒｔｉｎ、Ｐｒｏｃ．Ｎａｔｌ．Ａｃａｄ．Ｓｃｉ．，ＵＳＡ，７８：７６３４−７６３８、１９８１）、ブタ及びヒツジ（Ｎｏｔａｎｉａｎｎｉら、Ｊ．Ｒｅｐｒｏｄ．Ｆｅｒｔ．Ｓｕｐｐｌ．，４３：２５５−２６０、１９９１；Ｃａｍｐｂｅｌｌら、Ｎａｔｕｒｅ  ３８０：６４−６８、１９９６）及びヒトを含む霊長類（Ｔｈｏｍｓｏｎら、米国特許第５、８４３、７８０、Ｔｈｏｍｓｏｎら、Ｓｃｉｅｎｃｅ２８２：１１４５−１１４７、１９９５；及びＴｈｏｍｓｏｎら、Ｐｒｏｃ．Ｎａｔｌ．Ａｃａｄ．Ｓｃｉ．ＵＳＡ９２：７８４４−７８４８、１９９５）の様な多様な動物種の着床前胚及び胚盤胞に由来する。
【００５８】
これらのタイプの細胞は多分化性である。即ち、適当な条件の下でそれらは３種類全ての胚葉；外胚葉、中胚葉及び内胚葉に由来する広い範囲のタイプの細胞に分化する。培養条件によりＥＳ細胞のサンプルは幹細胞として限定的に培養することができ、単一サンプル内に広範囲の様々なタイプの細胞に分化させること、又はマクロファージ様細胞、肝細胞、膵臓β細胞、神経細胞、心筋細胞、軟骨細胞、脂肪細胞、平滑筋細胞、内皮細胞、骨格筋細胞、ケラチノ細胞及び好酸球、マスト細胞、赤血球前駆細胞、又は巨核細胞の様な造血細胞といった特定の型の細胞に分化させることができる。定方向分化は、例えばＫｅｌｌｅｒら、Ｃｕｒｒ．Ｏｐｉｎ．Ｃｅｌｌ  Ｂｉｏｌ．７：８６２−６９、１９９５、Ｌｉら、Ｃｕｒｒ．Ｂｉｏｌ．８：９７１、１９９８、Ｋｌｕｇら、Ｊ．Ｃｌｉｎ．Ｉｎｖｅｓｔ．９８：２１６−２４、１９９６、Ｌｉｅｓｃｈｋｅら、Ｅｘｐ．Ｈｅｍａｔｏｌ．２３：３２８−３４，１９９５、Ｙａｍａｎｅら、Ｂｌｏｏｄ  ９０：３５１６−２３、１９９７及びＨｉｒａｓｈｉｍａら、Ｂｌｏｏｄ  ９３：１２５３−６３、１９９９に更に記載されている様に、特異的増殖因子又はマトリックス成分を培養条件に含めることで達成される。
【００５９】
遺伝的に変更されたマウスＥＳ細胞は遺伝的に変更されたマウスの作成に利用されるだろう。胚性幹細胞は公開手順に従い操作される（Ｒｏｂｅｒｔｓｏｎ、１９８７、Ｔｅｒａｔｏｃａｒｃｉｎｏｍａｓ  ａｎｄ  Ｅｍｂｒｙｏｎｉｃ  Ｓｔｅｍ  Ｃｅｌｌｓ：Ａ  Ｐｒａｃｔｉｃａｌ  Ａｐｐｒｏａｃｈ、編集Ｅ．Ｊ．Ｒｏｂｅｒｔｓｏｎ、Ｏｘｆｏｒｄ：ＩＲＬ  Ｐｒｅｓｓ、ｐｐ．７１−１１２、１９８７；Ｚｊｉｌｓｔｒａら、Ｎａｔｕｒｅ  ３４２：４３５−４３８、１９８９；及びＳｃｈｗａｒｔｚｂｅｒｇら、Ｓｃｉｅｎｃｅ  ２４６：７９９−８０３、１９８９）。使用される具体的な胚性幹細胞株は重要ではない；例示のマウスＥＳ細胞株にはＡＢ−１（ＭｃＭａｈｏｎ及びＢｒａｄｌｅｙ、Ｃｅｌｌ６２：１０７３−８５、１９９０）、Ｅ１４（Ｈｏｏｐｅｒら、Ｎａｔｕｒｅ３２６：２９２−９５、１９８７）、Ｄ３（Ｄｏｅｔｓｃｈｍａｎら、Ｊ．Ｅｍｂｒｙｏｌ．Ｅｘｐ．Ｍｏｒｐｈ．８７：２７−４５，１９８５）、ＣＣＥ（Ｒｏｂｅｒｔｓｏｎら、Ｎａｔｕｒｅ３２３：４４５−４８、１９８６）、ＲＷ４（Ｇｅｎｏｍｅ  Ｓｙｓｔｅｍｓ、Ｓｔ．Ｌｏｕｉｓ、ＭＯ）及びＤＢＡ／１ｌａｃＪ（Ｒｏａｃｈら、Ｅｘｐ．Ｃｅｌｌ  Ｒｅｓ．２２１：５２０−２５、１９９５）。
【００６０】
ＥＳ細胞はＲＡＭＰ１、ＲＡＭＰ２又はＲＡＭＰ３遺伝子の所望される機能的分断を含むことを確認した後、これらＥＳ細胞は当分野既知の方法に従いキメラマウスを作成するために（Ｃａｐｅｃｃｈｉ、Ｔｒｅｎｄｓ  Ｇｅｎｅｔ．５：７０，１９８９）好適胚盤胞宿主に注入される。本発明に使用される具体的マウス胚盤胞は重要ではない。この様な胚盤胞の例には、Ｃ５７ＢＬ／６マウス、Ｃ５７ＢＬ／６アルビノマウス、Ｓｗｉｓｓ非近交系マウス、ＣＦＬＰマウス、及びＭＦＩマウス由来の胚盤胞が含まれる。あるいは、ＥＳ細胞は凝集ウエル中にて４倍体胚間に挟まれるだろう（Ｎａｇｙら、Ｐｒｏｃ．Ｎａｔｌ．Ａｃａｄ．Ｓｃｉ．ＵＳＡ９０：８４２４−８４２８、１９９３）。
【００６１】
次に遺伝的に変更されたＥＳ細胞を含む胚盤胞は偽妊娠したメスマウスに移植され、子宮内にて発生させられる（Ｈｏｇａｎら、Ｍａｎｉｐｕｌａｔｉｎｇ  ｔｈｅ  Ｍｏｕｓｅ  Ｅｍｂｒｙｏ：Ａ  Ｌａｂｏｒａｔｏｒｙ  Ｍａｎｕａｌ、Ｃｏｌｄ  Ｓｐｒｉｎｇ  Ｈａｒｂｏｒ  Ｌａｂｏｒａｔｏｒｙ、１９８８；及びＴｅｔｒａｔｏｃａｒｃｉｎｏｍａｓ  ａｎｄ  Ｅｍｂｒｙｏｎｉｃ  Ｓｔｅｍ  Ｃｅｌｌｓ：Ａ  Ｐｒａｔｉｃａｌ  Ａｐｐｒｏａｃｈ、Ｅ．Ｊ．Ｒｏｂｅｒｔｓｏｎ、編集、ＩＲＬ  Ｐｒｅｓｓ、Ｗａｓｈｉｎｇｔｏｎ、Ｄ．Ｃ．，１９８７）。養母マウスより生まれた子孫をスクリーニングにかけ、ＲＡＭＰ１ｍＲＡＭＰ２又はＲＡＭＰ３遺伝子分断に関しキメラである子孫を同定する。この様な子孫は遺伝的に変更されたドナーＥＳ細胞に由来する細胞、及び元の胚盤胞に由来するその他の細胞を含む。子孫はまずモザイクコート色についてスクリーニングされ、ドナーＥＳ細胞に由来する細胞と胚盤胞由来の細胞とを区別するためにコート色の選択が行われる。あるいは子孫の尾組織から得たＤＮＡを用いて遺伝的に変更された細胞を含むマウスを特定することもできる。
【００６２】
ＲＡＭＰ１、ＲＡＭＰ２又はＲＡＭＰ３遺伝子分断を生殖細胞系に含むキメラマウスの交配は、全ての生殖細胞及び体細胞中にそれぞれＲＡＭＰ１又はＲＡＭＰ３遺伝子分断を持つ子孫を生ずる。ＲＡＭＰ１又はＲＡＭＰ３遺伝子分断に関しヘテロ接合性であるマウス同士を次に交配してホモ接合体を生ずることができる（例えば米国特許第５、５５７、０３２号及び米国特許第５、５３２、１５８号を参照）。
【００６３】
遺伝的変更を１細胞から動物全体に移すための上記ＥＳ細胞技術の代替法は核移植である。この方法はマウスの作製に限定されない；それはその他の遺伝的に変更された非ヒト哺乳動物、例えばヒツジ（ＭｃＣｒｅａｔｈら、Ｎａｔｕｒｅ２９：１０６６−６９、２０００；Ｃａｍｐｂｅｌｌら、Ｎａｔｕｒｅ  ３８９：６４−６６、１９９６；及びＳｃｈｎｉｅｋｅら、Ｓｃｉｅｎｃｅ２７８：２１３０−３３、１９９７）及び子ウシ（Ｃｉｂｅｌｌｉら、Ｓｃｉｅｎｃｅ  ２８０：１２５６−５８、１９９８）。簡単に述べると、核ドナとして体細胞（例えば繊維芽細胞）又は多分可性幹細胞（例えばＥＳ様細胞）が選択され、そしてＲＡＭＰ１、ＲＡＭＰ２又はＲＡＭＰ３遺伝子の機能的分断を含む様に遺伝的に変更される。ＤＮＡベクターを体細胞に挿入し所望ＲＡＭＰ遺伝子に突然変異を誘導する場合、ベクターのＲＡＭＰ遺伝子内への組み込みの結果マーカーの発現が分断ＲＡＭＰ遺伝子のプロモーターの制御下に起こる様に、ベクター内に無プロモーターマーカーを使用することが好ましい（Ｓｅｄｉｖｙ及びＤｕｔｒｉａｕｘ、Ｔ．Ｉ．Ｇ．１５：８８−９０、１９９９；ＭｃＣｒｅａｔｈら、Ｎａｔｕｒｅ  ２９：１０６６−６９、２０００）。次に適当なＲＡＭＰ遺伝子分断を有するドナー細胞に由来する核を、脱核された受精卵細胞又は単為生殖卵細胞に移す（Ｃａｍｐｂｅｌｌら、Ｎａｔｕｒｅ  ３８０：６４、１９９６；Ｗｉｌｍｕｔら、Ｎａｔｕｒｅ  ３８５：８１０、１９９７）。胚は再構築され、培養され、桑実胚／胞胚段階まで発生させられ、そして子宮内で正期発生させるために養母内に移される。
【００６４】
本発明はまた遺伝的に変更された、非ヒト哺乳動物及び遺伝的に変更された動物細胞の子孫を包含する。子孫はＲＡＭＰ遺伝子を分断する遺伝的変更に関しヘテロ接合性又はホモ接合性であるが、それらはここに記した元のＲＡＭＰ遺伝子に生じた分断以外の、継代中にその他遺伝子座に起こったであろう突然変位又は環境からの影響について親の非ヒト哺乳動物及び動物細胞と遺伝的に同一ではないだろう。
【００６５】
”ヒト化”非ヒト哺乳動物及び動物細胞
発明の、分断された内因性ＲＡＭＰ１、ＲＡＭＰ２又はＲＡＭＰ３遺伝子を含む、遺伝的に変更された非ヒト哺乳動物及び動物細胞（非ヒト）は、更に対応するヒトＲＡＭＰ１、ＲＡＭＰ２又はＲＡＭＰ３配列（以後”ヒト化”と称する）を発現する様に変更することができる。ヒトＲＭＡＰ１、ＲＡＭＰ２及びＲＡＭＰ３遺伝子コーディング配列は例えばＧｅｎＢａｎｋ登録番号ＡＪ００１０１４、ＡＪ００１０１５、及びＡＪ００１０１６にそれぞれ開示されている。
【００６６】
細胞をヒト化する好適方法には、相同的組み換えにより内因性ＲＡＭＰ配列を対応するヒトＲＡＭＰ配列をコードしている核酸配列で置き換える方法が含まれる。ターゲティングベクターは５’及び３’相同部分及びポジティブ／ネガティブ選択の図式に関しては、ノックアウトベクターとして従来使用されているものに類似している。しかしベクターは同時に組み換え後には内因性配列をヒトコーディング配列に置換するか、又は内因性配列をヒトＲＡＭＰ配列がコードする様に変更する塩基対交換、エクソン置換、又はコドン置換を起こす配列も含んでいる。一度相同的組み換えが特定されると、Ｃｒｅ又はＦｌｐ伝達部位特異的組み換え（Ｄｙｍｅｃｋｉ、Ｐｒｏｃ．Ｎａｔｌ．Ａｃａｄ．Ｓｃｉ．９３：６１９１−９６，１９９６）によって選択ベース配列（例えばＮｅｏ）を切り出すことができる。
【００６７】
対応する内因性配列をヒトＲＡＭＰ１、ＲＡＭＰ２又はＲＡＭＰ３配列で置き換える場合、これら変化が内因性翻訳開始部位の下流に直接導入されることが好ましい。この位置取りは、ＲＭＡＰ遺伝子の内因性の時間的及び空間的発現パターンを保存する。ヒト配列は適当なプロセッシングに適した３’末端に結合されたポリＡテールを持つ完全長ヒトｃＤＮＡ配列又は全ゲノム配列でなければならない（Ｓｈｉａｏら、Ｔｒａｎｓｇｅｎｉｃ  Ｒｅｓ。８：２９５−３０２、１９９９）。細胞及び非ヒト哺乳動物を遺伝的に変更し、内因性遺伝子の発現をそのヒト相対物に置き換えるこれら方法に関する更なる指針は、例えばＳｕｌｌｉｖａｎら、Ｊ．Ｂｉｏｌ．Ｃｈｅｍ。２７２：１７９７２−８０，１９９７，Ｐｅａｕｍｅら、Ｊ．Ｂｉｏｌ．Ｃｈｅｍ。２７１：２３３８０−８８、１９９６及びＳｃｏｔｔら、米国特許第５、７７７、１９４号に見いだされる。
【００６８】
この様な”ヒト化”生物を作製する別の方法は、内因性遺伝子の分断とそれに続くノックアウト胚への前核マイクロインジェクションによるヒト配列をコードするトランス遺伝子の導入を含む２段階工程である。
【００６９】
【実施例】
実施例１：以下の遺伝子型の遺伝的に変更されたマウスの作製；ＲＡＭＰ１＋／−、ＲＡＭＰ１−／−、ＲＡＭＰ２＋／−、ＲＡＭＰ３＋／−及びＲＡＭＰ３−／−
ＲＡＭＰ１、ＲＡＭＰ２又はＲＡＭＰ３遺伝子内に標的化された分断を持つ遺伝的に変更されたマウスＥＳ細胞及びマウスは、相同的組み換えを利用し作られた（デルタジーン（ＤｅｌｔａＧｅｎ）、メンローパーク（Ｍｅｎｌｏ  Ｐａｒｋ）、カリフォルニア（ＣＡ））。
【００７０】
ＲＡＭＰ１標的分断に関しては、図１（配列番号１）に示す部分的ＲＡＭＰ１配列を用いて標的構築体を設計した。欠失及びＬａｃＺ−Ｎｅｏとの置換の標的となるエクソン配列は二重下線の付いた配列として示されている。図２の如く配列番号２及び３の２カ所の相同部位（それぞれ１０ヌクレオチド長）及びＩＲＥＳ  ＬａｃＺ−Ｎｅｏ配列を含む標的構築体が作られた。
【００７１】
ＲＡＭＰ２標的分断に関しては、図３に示す様に配列番号７と８の２カ所の相同部位、及びＩＲＥＳ−ＬａｃＺ  Ｎｅｏ配列を含む構築体が作られた。
ＲＡＭＰ３標的分断に関しては、図４（配列番号４）に示す様に部分的ＲＡＭＰ−３配列を用いて標的構築体が設計された。相同的組み換えにより欠失され、ＬａｃＺ−Ｎｅｏにより置き換えられたエクソン及びイントロン配列は二重下線のついた配列として示されている。配列番号５及び６の２カ所の相同部位を含むＲＡＭＰ３標的構築体の概略図は図５に例示されている。
【００７２】
標的構築体に使用したＮｅｏ配列はｐＧＴ−Ｎ２８（ニューイングランドバイオラブス、ベヴァリー、マサチューセッツ）に由来し、Ｎｅｏオープンリーディングフレームの５５５位置に特異的に導入されたネオマイシン耐性を増強するＴからＧへの塩基変化を含んだ。ＩＲＥＳ−ｌａｃＺ配列は、例えばＤｅｎｇら、Ｄｅｖ．Ｂｉｏｌ．２１２：３０７−２２、１９９９に更に記載されている。
【００７３】
ＲＡＭＰ１、ＲＡＭＰ２又はＲＡＭＰ３標的構築体を含むＤＮＡがエレクトロポレーションによりＥＳ  Ｒ１細胞（Ｎａｇｙら、Ｐｒｏｃ．Ｎａｔｌ．Ａｃａｄ．Ｓｃｉ．ＵＳＡ  ９０：８４２４−２８、１９９３）内に挿入された。ネオマイシン耐性であるＥＳ細胞はサザンブロットにより分析され、ＲＡＭＰ１、ＲＡＭＰ２又はＲＡＭＰ３遺伝子の標的分断が確認された。図６Ａ及び６Ｂに示す様に、ゲノムＤＮＡのサザンブロット分析はＲＡＭＰ１及びＲＡＭＰ３遺伝子それぞれについて相同的組み換えが起ったことが確認された。
【００７４】
次にそれぞれＲＡＭＰ１、ＲＡＭＰ２及びＲＡＭＰ３標的ＥＳ細胞を使い、細胞をｃ５７ＢＬ／６胚盤胞内に注射すること（ハルラン（Ｈａｒｌａｎ）、インディアナポリス（Ｉｎｄｉａｎａｐｏｌｉｓ）、インディアナ（ＩＮ））及びＣＤ１偽妊娠マウス（チャールズリバーラボラトリーズ、ウイルミントン、マサチューセッツ；及びＣａｐｅｃｃｈｉら、Ｔｒｅｎｄｓ  Ｇｅｎｅｔ．５：７０、１９８９、Ｈｏｇａｎら、Ｍａｎｉｐｕｌａｔｉｎｇ  ｔｈｅ  Ｍｏｕｓｅ  Ｅｍｂｒｙｏ：Ａ  Ｌａｂｏｒａｔｏｒｙ  Ｍａｎｕａｌ、Ｃｏｌｄ  Ｓｐｒｉｎｇ  Ｈａｒｂｏｒ  Ｌａｂｏｒａｔｏｒｙ、１９８８；及びＴｅｒａｔｏｃａｒｃｉｎｏｍａｓ  ａｎｄ  Ｅｍｂｒｙｏｎｉｃ  Ｓｔｅｍ  Ｃｅｌｌｓ：Ａ  Ｐｒａｃｔｉｃａｌ  Ａｐｐｒｏａｃｈ、Ｅ．Ｊ．Ｒｏｂｅｒｔｓｏｎ、編集、ＩＲＬ  Ｐｒｅｓｓ、Ｗａｓｈｉｎｇｏｎ、Ｄ．Ｃ．，１９８７も参照せよ）に胚盤胞を移植することでＲＡＭＰ１、ＲＡＭＰ２又はＲＡＭＰ３標的分断に関してヘテロ接合性であるキメラマウスを作製した。次にこのキメラマウスをＣ５７ＢＬ／６（チャールズリバーラボラトリーズ）マウスと交配させＦ１ヘテロ接合体を作製した。次にＲＡＭＰ１とＲＡＭＰ３ヘテロ接合体を交配させ、Ｆ２ホモ接合マウスを作製した。ヘテロ接合体及びホモ接合体内のＲＡＭＰ１、ＲＡＭＰ２及びＲＡＭＰ３遺伝子の機能的分断はＰＣＲ及びサザンブロット分析により確認された。
【００７５】
ＲＡＭＰｓの機能及び治療実用性の特徴
ＲＡＭＰ１、ＲＡＭＰ２又はＲＡＭＰ３遺伝子を分断するための非ヒト哺乳動物又は動物細胞の一般的変更を利用することで、これら分断が生理学的に関連性のある効果又は表現形を生ずるか決定することができる。ＲＡＭＰ１又はＲＡＭＰ３分断に関するホモ接合性である非ヒト哺乳動物では、ＲＡＭＰ１又はＲＡＭＰ３活性の低下を伴う異常表現形はＲＡＭＰに関連した機能を特定し、これら機能に関連する病気又は状態を治療し、あるいは予防するためのＲＡＭＰ１又はＲＡＭＰ３標的治療の特定と開発に関する基礎を確立する。更に、ＲＡＭＰ１、ＲＡＭＰ２又はＲＡＭＰ３の機能に関する研究に使用する細胞、組織又は表現形を決定することに関する指針が、例えばこれら蛋白質に関する発現パターン中に見い出される。
【００７６】
更に、ＲＡＭＰ１−／−及びＲＡＭＰ３−／−非ヒト哺乳動物及び動物細胞はまた、複数のＲＡＭＰが重複する機能を有する例で、あるＲＡＭＰがインビボにて優性な役割を果たすか否かを決定するのにも有用である。例えばＲＡＭＰ１及びＲＡＭＰ３は共にカルシトニン受容体に対するアミリン結合を伝達する。哺乳動物へのアミリン投与は血中グルコースの増加と筋肉によるグルコース取り込みの低下をもたらす。これらの効果が主にＲＡＭＰ１又はＲＡＭＰ３どちらの作用によるものか決定するために、アミリンを野生型、ＲＡＭＰ１−／−及びＲＡＭＰ３−／−の非ヒト哺乳動物（例えばマウス又はラット）、あるいはこれら動物の筋肉標本に投与することができる。ＲＡＭＰ１−／−マウスが野生型マウスと同様のアミリン反応を示した場合、又はＲＡＭＰ３−／−マウスが大きく異なる反応を示した場合には、インビボのアミリン反応は主にＲＡＭＰ３受容体により伝達される。逆にＲＡＭＰ３−／−マウスが野生型マウスに似たアミリン反応を示し、又はＲＡＭＰ１−／−マウスが大きく傷害された反応を示す場合には、インビボのアミリン反応は主にＲＡＭＰ１により伝達される。
【００７７】
上記の方法はインビボでのアドレノモジュリンシグナル伝達が主にＲＡＭＰ２又はＲＡＭＰ３の活動を介して起こるか決定する場合にも応用できる。ＲＡＭＰ２及びＲＡＭＰ３は共にＣＲＬＲと相互作用し、アドレノモジュリンシグナルを伝達する。アドレノモジュリンは血管拡張と血圧低下をもたらす。従ってこれら生理学的効果が主にＲＡＭＰ２又はＲＡＭＰ３の作用によるものかを決定するために、アドレノモジュリンをＲＡＭＰ３−／−及び野生型非ヒト哺乳動物（例えばマウス又はラット）、あるいはこれら哺乳動物由来の血管片標本に投与することができる。ＲＡＭＰ３−／−マウスの反応が野生型マウスと同一である場合には、正常なシグナル伝達は主にＲＡＭＰ２を開始行われる。しかしＲＡＭＰ３−／−マウスのアドレノモジュリン反応が大きく傷害されいる場合には、アドレノモジュリンに対する生理学的反応ではＲＡＭＰ３が重要な役割を果たしている。
【００７８】
１．ＲＡＭＰ１、ＲＡＭＰ２及びＲＭＡＰ３発現
ここに示すＲＡＭＰ１、ＲＡＭＰ２及びＲＡＭＰ３の発現パターンに関する我々の研究は、それぞれＲＡＭＰ１＋／−、ＲＡＭＰ２＋／−及びＲＡＭＰ３＋／−ヘテロ接合性マウスでのレポーター遺伝子ＬａｃＺの発現に基づいている。これらヘテロ接合性マウスでのＬａｃＺ発現が内因性のＲＡＭＰ遺伝子プロモーターにより制御されている場合には、これらマウスに於けるＬａｃ発現は野生型マウスに於ける標的遺伝子の内因性発現パターンに対応する。
【００７９】
野生型及びヘテロ接合性マウス（６−８週齢）の組織及び器官を凍結し、切片にし（１０μｍ）、スライド上に乗せ２％ホルムアルデヒド／０．２％グルタールアルデヒドで１分間固定した。サンプルを１分間Ｔｒｉｓ緩衝液、ｐＨ８．０で洗浄し、フェリシアニド緩衝液（組織染色基本液、スペシャリティーメディア（Ｓｐｅｃｉａｌｔｙ  Ｍｅｄｉａ）、ピッツバーグ（Ｐｈｉｌｌｉｐｓｂｕｒｇ）、ニュージャージー（ＮＪ））を用い、メーカー（スペシャリティーメディア、ピッツバーグ、ニュージャージー）の推奨に従い希釈されたβ−ガラクトシダーゼ基質であるＸ−ｇａｌ（５−ブロモ−４−クロロ−３−インドリルベータ−Ｄ−ガラクトシダーゼ、ゴールドバイオテクノロジー（Ｇｏｌｄ  Ｂｉｏｔｅｃｈｎｏｌｏｇｙ）、セントルイス（Ｓｔ．Ｌｏｕｉｓ）、ミズリー（ＭＯ））を含む染色液に浸漬された。一晩、室温にインキュベーションした後、切片はリン酸緩衝化食塩水で濯がれ、カバーグラスがかけられ写真撮影された。切片は濡クリアーファーストレッド（シグマ−アルドリッチ（Ｓｉｇｍａ−Ａｌｄｒｉｃｈ）、セントルイス（Ｓｔ．Ｌｏｕｉｓ）、ミズリー（ＭＯ））で二重染色された。野生型コントロールサンプルでの染色にて内因性のベータガラクトシダーゼ活性を示したことから、本発現研究からは次の組織が除かれた：小腸及び大腸、胃、精管及び副睾丸。
【００８０】
実施例２：ＲＡＭＰ１発現
ＭｃＬａｔｃｈｉｅら、Ｎａｔｕｒｅ３９３：３３３−３９、１９９８に記載されている如く、ＲＡＭＰ１は心臓、筋肉、膵臓、脳、子宮、膀胱、肝臓及び胃腸管に発現されている。今回の結果は更に脳、子宮及び肝臓でのＲＡＭＰ１発現を詳細に描写すると同時にＲＡＭＰ１を発現する追加の組織も特定している。
【００８１】
ＬａｃＺ発現は脳全体に観察されたが、特に大脳、線条体、及び皮質第２層で強く発現していた。その他の顕著な脳での発現には梨状皮質、第３脳室、海馬、第４脳室及び脳幹部が含まれた。ＬａｃＺ発現はまた男性生殖道（例えば精巣の精子形成細胞及び間質細胞、並びに凝固腺を囲む筋肉層）、女性生殖道（例えば卵管（ファロピー管）の上皮細胞及び卵巣の濾胞細胞）、肝臓（中心静脈の筋肉層）、胆嚢上皮の繊維芽細胞及び皮膚上皮の繊維芽細胞にも示された。
【００８２】
ＲＡＭＰ１発現パターン（実施例２及び／又はＭｃＬａｔｃｈｉｅらの報告の如く）は、哺乳動物でのＲＡＭＰ１活性の変更は疼痛及び認識増強（線条体及び大脳皮質でのＲＡＭＰ１発現を介し）に影響すること；パーキンソン病、ハンチントン病及び振戦（脳の背側線条体でのＲＡＭＰ１発現を介し）といった運動障害、精神病、耽溺症、強迫性障害、注意欠陥障害（腹側線条体でのＲＡＭＰ１発現を介し）、精神病、鬱病及び不安（梨状皮質でのＲＡＭＰ１発現を介し）の治療に；記憶障害及びアルツハイマー病（海馬でのＲＡＭＰ１発現を介し）、受精及び生殖（男女生殖道でのＲＡＭＰ１発現を介し）の改善に；及び以下の病気又は状態の進行又は発生、あるいは症状を治療し、又は予防することに利用できることを示している：皮膚疾患（皮膚でのＲＡＭＰ１発現を介し）、肝細胞障害（中心肝静脈平滑筋層及び胆嚢に於けるＲＡＭＰ１発現を介し）、筋肉代謝及び／又は糖代謝の障害（膵臓及び骨格筋でのＲＡＭＰ１発現を介し）、心臓血管障害及び／又は高血圧（心臓でのＲＡＭＰ１発現を介し）。
【００８３】
実施例３：ＲＡＭＰ２発現
ＲＡＭＰ２発現は精巣の精子形成細胞に示され、ＲＡＭＰ２活性の変更が男性不妊の変更に有用であることが示唆された。
【００８４】
実施例４：ＲＭＡＰ３発現
ＬａｃＺ発現は尾状核（線条体）及び大脳の側部背部視床部に示され、男性生殖道の凝固腺の上皮細胞には拡散性に示された。
【００８５】
脳の尾状核に於けるＲＡＭＰ３発現パターンは、哺乳動物でのＲＡＭＰ３活性の変更がパーキンソン病、ハンチントン病及び振戦を含む運動障害の治療に有用であることを示している。凝固腺内でのＲＡＭＰ３発現は、哺乳動物に於けるＲＡＭＰ３活性の変更が性／生殖障害及び良性前立腺肥大の治療に有用であることを示している。
【００８６】
２．表現形上の特徴
６−８週齢の、ＲＡＭＰ１又はＲＡＭＰ３標的分断に関しホモ接合性であるマウスの表現形を、ほぼ一致している野生型コントロールと比較した。ＲＭＡＰ２標的分断に関しホモ接合性であるマウスは生まれなかった。ＲＭＡＰ−／−及びＲＡＭＰ３−／−の身体検査、剖検、組織学、臨床化学、血液化学、体長、体重、臓器重量、血液学及び骨髄の細胞学的評価よりデータを集めた（デルタゲン（Ｄｅｌｔａｇｅｎ）、メンローパーク（Ｍｅｎｌｏ  Ｐａｒｋ）、カリフォルニア（ＣＡ））。
【００８７】
実施例５：ＲＡＭＰ１−／−及びＲＡＭＰ３−／−マウス表現形
実施例２で論じた肝臓及び筋肉機能に於けるＲＡＭＰ１の役割はＲＭＡＰ１−／−マウスの表現形上の特徴より更に支持される。心臓、骨格筋、平滑筋及び／又は肝臓細胞の障害指示体であるアラニントランスフェラーゼ（ＡＬＴ）、アスパラギン酸アミノトランスフェラーゼ（ＡＳＴ）及びクレアチンキナーゼ（ＣＫ）の酵素活性の上昇が表１に示す様にＲＡＭＰ１−／−マウスで検出された。
【００８８】
【表１】
0003639555.tif 000002
値は平均値±標準偏差（サンプル数）として表されている。野生型マウスは+/  +で；ＲＡＮＰ１−／−マウスは−／−として表されている。
筋肉及び肝臓細胞障害に関する表１の結果は、活性を増加するＲＭＡＰ１の変更はうっ血性心不全、急性心筋梗塞の様な心臓血管障害、骨格筋ミオパシー、及び慢性並びに急性肝炎、肝臓肥大、脂肪肝、胆道閉鎖症、胆石及び化学的又は薬物誘導肝毒性を含む肝臓障害の治療又は予防に有用であろうことを示している。
【００８９】
ＲＡＭＰ３−／−マウスの検査は異常な表現形を示さなかった。
ＲＭＡＰ活性を変更する作用物質の同定
作用物質がＲＡＭＰ１、ＲＡＭＰ２又はＲＡＭＰ３活性を変更するか否か決定するには、ＲＡＭＰ遺伝子を発現する細胞、組織標本又は動物全体を使用できる。ヒト細胞株又は初代ヒト組織標本に由来する様な、ヒト遺伝子を発現する組織、又は細胞サンプルを使用することが好ましい。あるいはこの様な組織又は細胞サンプルはヒト化された非ヒト哺乳動物又は動物細胞より得られるだろう。同様にＲＡＭＰ機能研究に適した好適試験動物は、遺伝的に変更されたＲＡＭＰ１、ＲＡＭＰ２又はＲＡＭＰ３ヒト化哺乳動物である。上記サンプルのいずれかを使用する場合、適当に適合したＲＡＭＰ１−／−又はＲＡＭＰ３−／−非ヒト哺乳動物又はＲＡＭＰ１−／−、ＲＡＭＰ２−／−、ＲＡＭＰ３−／−動物細胞を陰性コントロールとして使用し、作用物質がそれらの作用をそれぞれＲＡＭＰ１、ＲＡＭＰ２又はＲＡＭＰ３ポリペプチドを通じ伝達することを証明することができる。
【００９０】
ＲＡＭＰ１ポリペプチド機能の直接的評価は、例えばインビトロに於ける細胞膜への125Ｉ−ＣＧＲＰの結合を測定することで実施できる（ＲｅｃｅｐｔｏｒーＬｉｇａｎｄ  Ｉｎｔｅｒａｃｔｉｏｎｓ：Ａ  Ｐｒａｃｔｉｃａｌ  Ａｐｐｒｏａｃｈ、編集、Ｅ．Ｃ．Ｈｕｌｍｅ、ＩＲＬ  Ｐｒｅｓｓ、Ｏｘｆｏｒｄ、１９９２、ＭｃＬａｔｃｈｉｅら、Ｎａｔｕｒｅ  ３９３：３３３−３３９、１９９８参照）。ＲＡＭＰ１及びＣＲＬＲをコードするプラスミド構築体は、リボフェクタミン（ギブコ（Ｇｉｂｃｏ）ＢＲＬ、ロックビル（Ｒｏｃｋｖｉｌｌｅ）、メリーランド（ＭＤ））又はＦｕｇｅｎｅTM（インビトロゲン（Ｉｎｖｉｔｒｏｇｅｎ）、サンジェゴ（Ｓａｎ  Ｄｉｇｅｏ）、カリフォルニア（ＣＡ））試薬をメーカー指示書に従いを使用し、安定的又は一過的に宿主細胞内に導入される。トランスフェクションに適した宿主細胞例には、ＨＥＫ２９３細胞、ＣＨＯ細胞、又はＳｗｉｓｓ３Ｔ３細胞が含まれる。ＨＥＫ２９３細胞は、例えば３７℃、５％ＣＯ2にて、１０％胎児ウシ血清が添加されたダルベッコ改良イーグル培地（ギブコＢＲＬ）中に培養される。一過性トランスフェクションに適した方法の例では、細胞を非酵素的に組織培養プレートから剥がして集め（Ｖｅｒｓｅｎｅ、シグマケミカル社、セントルイス、ＭＯ）、５×１０7−５×１０8個の細胞を６μｌのＦｕｇｅｎｅ試薬、１０ｕｇのＣＲＬＲ  ＤＮＡ及び８ｕｇのＲＡＭＰ１ＤＮＡと２０分間インキュベーションする。細胞はＴ７５フラスコ上に播かれ、更に４８−７２時間培養される。
【００９１】
メンブレンは例えばトランスフェクションされた宿主細胞をリン酸緩衝化食塩水（ＰＢＳ）内に集め、低速度遠心分離により沈殿させ、沈殿を５０ｍｍのＨｅｐｅｓ−ＨＣｌ、ｐＨ７．６、１ｍＭ  ＥＤＴＡ、及びプロテアーゼ阻害剤カクテル（例えばロシュバイオサイエンス（Ｒｏｃｈｅ  Ｂｉｏｓｃｉｅｎｃｅｓ）、パロアルト（Ｐａｌｏ  Ａｌｔｏ）、カリフォルニア（ＣＡ）を含むホモジェナイゼーション緩衝液中にホモジェナイゼーションすることで調整される。ホモジェナイゼーションされた沈殿を低速度（４℃、５００×ｇで１５分間）した後、上清を更に高速度（４℃、５０，０００×ｇにて２０分間）遠心分離にかけ、最終沈殿はホモジェナイゼーション緩衝液に懸濁される。結合アッセイは９６ウエルマイクロタイタープレート内にて行われる：膜蛋白質５０ｕｇを５０μＭの１２５Ｉ−ＣＧＲＰ１（アマシャム（Ａｍｅｒｓｈａｍ）、ピスキャタウェイ（Ｐｉｓｃａｔａｗａｙ）、ニュージャージー（ＮＪ））と共に反応容積１００ｕｌ中にインキュベーションする。標識蛋白質をセルハーベスターを用い、濾過してＧＦ／Ｂフィルター上に集める。フィルターを０．１％ポリエチレンアミンで洗浄し、標識量をシンチレーションカウンターにより定量化する。結合親和性は、競合する未標識ＣＧＲＰの量を増やしながら加え決定された。ＲＡＭＰ２ポリペプチド機能を評価するアッセイは、細胞がＲＡＭＰ１の代わりにＲＡＭＰ２を発現する様にトランスフェクトされる形に上記アッセイを適応させることで実施できる。ＲＡＭＰ３ポリペプチド機能を評価するアッセイは、細胞がＲＡＭＰ１の代わりにＲＡＭＰ３を発現し、そしてＣＲＬＲの代わりにアドレノモジュリン受容体を発現する様にトランスフェクトされる形に上記アッセイを適応させることで実施できる。同様にＲＡＭＰ３機能評価のアッセイでは、放射標識されたＣＧＲＰ及び未標識ＣＧＲＰは、それぞれ放射線標識されたアドレノモジュリン置換体及び未標識アドレノモジュリン置換体に交換される。
【００９２】
ＲＡＭＰ１又はＲＡＭＰ３機能はまた細胞レベルでも、例えばＲＡＭＰ１とＣＲＬ，又はＲＡＭＰ３とアドレノモジュリン受容体とを発現している細胞に於けるＣＧＲＰ−伝達又はアドレノモジュリン伝達細胞内ｃＡＭＰの上昇を定量化することでも測定される（ＲｅｃｅｐｔｏｒーＥｆｆｅｃｔｏｒ  Ｃｏｕｐｌｉｎｇ：Ａ  Ｐｒａｃｔｉｃａｌ  Ａｐｐｒｏａｃｈ、Ｅ．Ｃ．Ｈｕｌｍｅ、編集、ＩＲＬ  Ｐｒｅｓｓ、Ｏｘｆｏｒｄ、１９９０参照）。ＲＡＭＰ２機能は例えばＲＭＡＰ２及びＣＲＬＲを発現している細胞に於ける細胞内ｃＡＭＰ上昇を測定することでも測定される。アデニルシクラーゼの活性化は、例えば市販各社より入手可能な検出アッセイキット（例えばＧｌａｓｈＰｌａｔｅTMアッセイ、ＮＥＮライフサイエンスプロダクツ（Ｌｉｆｅ  Ｓｃｉｅｎｃｅ  Ｐｒｏｄｕｃｔｓ、ボストン（Ｂｏｓｔｏｎ）、マサチューセッツ（ＭＴ））を使用し測定できる。プレート上の抗ｃＡＭＰ抗体への（125Ｉ）−標識ｃＡＭＰ結合と刺激細胞により産生された未標識ｃＡＭＰ間の競合により、産生されたｃＡＭＰの定量が可能になる。トランスフェクションされた細胞は、例えば結合アッセイに関する上記同様に調製される。細胞は９６ウエルマイクロタイターＦｌａｓｈＰｌａｔｅTMに５０，０００−１００，０００細胞／ウエルの割合いで播かれ、１００ｍｍＨｅｐｅｓ−ＨＣｌ、ｐＨ７．６、１ｍＭ  ＣａＣｌ２、５ｍＭ  ＫＣｌ、１０ｍＭ  グルコース及びホスホジエステラーゼ阻害剤であるＩＢＭＸ（シグマ）中に前インキュベーションされる。試験作用物質をＣＧＲＰリガンド又はアドレノモジュリンリガンドと共に細胞に３７℃、５％ＣＯ2にて１０分間加える。反応は透過性界面活性剤（例えばＮＰ−４０）及び０．０９％アジ化ナトリウムを添加することで停止される。プレートはカバーされ、室温にて最低２時間インキュベーションされた後マイクロプレートシンチレーションカウンターにて測定される。  ＲＡＭＰ１活性を測定するための別の細胞の基礎は、ＣＧＲＰ又はアドレノモジュリンそれぞれ曝したの後の細胞に於ける内向き基礎電流を測定することである（ＭｃＬａｔｃｈｉｅら、Ｎａｔｕｒｅ３９３：３３３−３９、１９９８）。ＲＡＭＰ２及びＲＡＭＰ３活性は、アドレノモジュリンへ暴露した後に同様のやり方で測定できる。例えば内向き電流は事前に嚢胞性繊維症膜貫通制御体（ＣＦＴＲ）又はＣＲＬＲとＲＡＭＰ１、あるいはアドレノモジュリン受容体とＲＡＭＰ２又はＲＡＭＰ３をコードする構築体でトランスフェクションされたアフリカツメガエル卵細胞で測定できる。次にＲＡＭＰ１の場合にはＣＧＲＰに曝された後に、あるいはＲＡＭＰ２又はＲＡＭＰ３の場合にはアドレノモジュリンにさらされた後に内向き電流が測定される。
【００９３】
ＲＡＭＰ１機能はまた、四塩化炭素（ＣＴＣ）の様な肝障害を誘導する肝毒性作用物質を共投与し、ＲＡＭＰ１変調体がＲＭＡＰ１活性を刺激することで上記障害を相殺するか決定することで、インビボにおいて評価するこもできる。ＲＡＭＰ１変調体により付与される保護の程度は、血清ＡＳＴ及びＡＬＴの活性を測定することで評価される。この方法は、以下の実験パラメーターの最適化を必要とする：投与されるＣＴＣの量は３５−１４５ｍｇ／ｋｇの範囲で力価測定され、ＡＳＴ／ＡＬＴレベルの上昇に関する用量−反応曲線を得なければならない（Ｓｋｒｚｙｐｉｎｓｋａ−Ｇａｗｒｙｓｉａｋら、Ｉｎｔ．Ｊ．ｏｆ  Ｏｃｃ。Ｍｅｄ．＆  Ｅｎｖｉｒｏｎ．Ｈｅａｌｔｈ，１３：１６５−７３，２０００）及び推定ＲＡＭＰ１変調体である試験作用物質はＣＴＣの前の各種時間、及び同時に投与される。
【００９４】
ＲＡＭＰポリペプチド機能の直接評価に代わる方法として、作用物質をＲＡＭＰ１、ＲＡＭＰ２又はＲＡＭＰ３遺伝子の発現に及ぼすそれらの効果についてスクリーニングすることができる。このスクリーニング法はＲＡＭＰ遺伝子を発現できる細胞を使用する（例えば正常時には内因性のＲＡＭＰ１、ＲＡＭＰ２又はＲＡＭＰ３遺伝子を発現しているタイプの細胞）。細胞中でＲＡＭＰ遺伝子制御要素に連結されたコーディング配列は、ＲＡＭＰ遺伝子コーディング配列そのもの、又はレポーター遺伝子配列の様なその他のコーディング配列のいずれかである。ＲＡＭＰ１、ＲＡＭＰ２又はＲＡＭＰ２発現に及ぼす作用物質の効果は、試験作用物質有り無しで試験動物又は細胞中のコーディング配列の発現を比較することで評価される。好適実施態様では、試験作用物質の効果は、遺伝的に変更され、内因性ＲＡＭＰ１、ＲＡＭＰ２、又はＲＡＭＰ３コーディング配列の替わりとしてＬａｃＺ又はその他のレポーター遺伝子を発現するＲＡＭＰ１＋／−、ＲＡＭＰ１−／−、ＲＡＭＰ２＋／−、ＲＡＭＰ３＋／−又はＲＡＭＰ３−／−非ヒト哺乳動物又は動物細胞に於けるＬａｃＺ発現を測定することで評価される。
【００９５】
スクリーニングされる作用物質の例には、核酸（例えばＤＮＡ及びＲＮＡ）、炭水化物、脂質、蛋白質、ペプチド、ペプチド模擬体、小分子及びその他作用物質がふくまれるが、これらに限定されない。作用物質は試験に関し個別に又はライブラリーの一部として選別できる。これらライブラリーは当分野既知のコンビナトリアルライブラリー法の複数の方法を使用し得られ、それには：生物学的ライブラリー；空間的アドレスが可能なパラレル固相又は液相ライブラリー；デコンボリューションを必要とする合成ライブラリー法；”１ビーズ１化合物”ライブラリー法；及びアフィニティークロマトグラフィー選別を利用した合成ライブラリー法を含む。生物学的ライブラリー法はペプチドライブラリーに限定されるが、その他４種類の方法はペプチド、非ペプチドオリゴマー又は化合物の小分子ライブラリーに応用できる（例えばＬａｍ、１９９７、Ａｎｔｉｃａｎｃｅｒ  Ｄｒｕｇ  Ｄｅｓ．１２：１４５；米国特許第５．７３８，９９６号；及び米国特許第５、８０７、６８３号）。
【００９６】
分子ライブラリーの合成に関する方法の例は当技術、例えばＤｅＷｉｔｔら、１９９３、Ｐｒｏｃ．Ｎａｔｌ．Ａｃａｄ．Ｓｃｉ．ＵＳＡ９０：６９０９、Ｅｒｂら、１９９４、Ｐｒｏｃ．Ｎａｔｌ．Ａｃａｄ．Ｓｃｉ．ＵＳＡ８１：１１４２２、Ｚｕｃｋｅｒｍａｎｎら、１９９４、Ｊ．Ｍｅｄ．Ｃｈｅｍ．３７：２６７８、Ｃｈｏら、１９９３、Ｓｃｉｅｎｃｅ  ２６１：１３０３、Ｃａｒｒｅｌｌら、１９９４、Ａｎｇｅｗ．Ｃｈｅｍ．Ｉｎｔ．Ｅｄ．Ｅｎｇｌ．３３：２０５９、Ｃａｒｅｌｌら、１９９４、Ａｎｇｅｗ．Ｃｈｅｍ．Ｉｎｔ．Ｅｄ．Ｅｎｇｌ．３３：２６０１及びＧａｌｌｏｐら、１９９４．Ｊ．Ｍｅｄ．Ｃｈｅｍ．３７：１２３３に見いだすことができる。
【００９７】
個々の作用物質又は作用物質のライブラリーは溶液中（例えばＨｏｕｇｈｔｅｎ、１９９２、Ｂｉｏ／Ｔｅｃｈｎｉｑｕｅｓ  １３：４１２−４２１）又はビーズ上（Ｌａｍ、１９９１、Ｎａｔｕｒｅ  ３５４：８２−８４）、チップ上（Ｆｏｒｄｏｒ、１９９３、Ｎａｔｕｒｅ  ３６４：５５５−５５６）、細菌上（米国特許第５，２２３，４０９号）、胞子上（米国特許第５、５７１、６９８号；第５、４０３、４８４号及び第５、２２３、４０９号）、プラスミド上（Ｃｕｌｌら、１９９２、Ｐｒｏｃ．Ｎａｔｌ．Ａｃａｄ．Ｓｃｉ．ＵＳＡ８９：１８６５ー１８６９）又はファージ上（ＳｃｏｔｔとＳｍｉｔｈ、１９９０、Ｓｃｉｅｎｃｅ  ２４９：３８６−３９０；Ｄｅｖｌｉｎ、１９９０、Ｓｃｉｅｎｃｅ２４９：４０４−４０６；Ｃｗｉｒｌａら、１９９０、Ｐｒｏｃ．Ｎａｔｌ．Ａｃａｄ．Ｓｃｉ．ＵＳＡ  ８７：６３７８−６３８２；及びＦｅｌｌｉｃｉ、１９９１、Ｊ．Ｍｏｌ．Ｂｉｏｌ．２２２：３０１−３１０）に存在するだろう。
【００９８】
治療応用
ＲＡＭＰ１、ＲＡＭＰ２又はＲＡＭＰ３を変更する作用物質は、これら遺伝子を発現する細胞でのＲＡＭＰ１、ＲＡＭＰ２又はＲＡＭＰ３を変更するために投与できる。肝機能及び筋肉代謝に於けるＲＡＭＰ１の役割を仮定すると、ＲＡＭＰ１活性を変更するものとして同定だれた作用物質（例えばＲＡＭＰ１活性を促進する作用物質）は、うっ血性心不全、僧帽弁狭窄症、急性心筋梗塞及び高血圧の様な血管並びに心臓血管障害を含む心臓、骨格筋又は平滑筋の病気の様な、疾患又は状態、あるいはそれらの症状のを治療する、又は予防する治療薬として利用できる。ＲＡＭＰ１活性を増加する変調体は慢性及び急性肝炎、肝臓肥大、脂肪肝、胆道閉鎖症、胆石及び化学的又は薬物誘導肝毒性を含む肝細胞障害又はそれらの症状を治療し、又は予防するための治療薬としても利用できる。
【００９９】
ＲＡＭＰ１、ＲＡＭＰ２又はＲＡＭＰ３活性を変更する作用物質は適当な経路により投与されるだろう。例えば投与は座薬又は経口投与により、経口、静脈内、動脈内、皮下、筋肉内、頭内、眼窩内、眼内、脳室内、関節嚢内、脊髄内、槽内、腹腔内、鼻内、エアゾールに投与されるだろう。
【０１００】
治療処方薬を投与する場合には、処方薬は溶液又は懸濁液の形状、錠剤又はカプセルの形状、あるいは粉末、鼻内滴下剤又はエアゾールの形状であろう。処方薬を作製することに関する当分野で良く知られている方法は、例えばＲｅｍｉｎｇｔｏｎ’ｓ  Ｐｈａｒｍａｃｅｕｔｉｃａｌ  Ｓｃｉｅｎｃｅｓ（編集、Ｇｅｎｎａｒｏ、Ｍａｃｋ  Ｐｕｂｌｉｓｈｉｎｇ  Ｃｏ．，Ｅａｓｔｏｎ、ＰＡ、１９版、１９９５）に見られる。
【図面の簡単な説明】
【図１】図１は部分的なネズミＲＡＭＰ１ゲノム配列（配列番号１）を示す。エクソンコーディング配列は大文字で、推定イントロン配列は小文字で示されている。スプライス部位コンセンサンス配列は四角に囲まれており、欠失及びＬａｃＺ−Ｎｅｏによる置換の標的エクソン配列には二重下線が付されている。
【図２】図２は、ＲＡＭＰ１遺伝子との相同的組み換えに使用された標的構築体及びＲＡＭＰ１遺伝子の分断の略図例である。領域”Ｘ”は欠失及びＬａｃ−Ｎｅｏとの置換標的の内因性コーディング配列を表す。ＳＳは推定スプライス部位を表す。ヌクレオチド文字に続く番号は、元のマウスｃＤＮＡ（上）内のヌクレオチド位置を表している。標的（ＫＯ）構築体（下）内のｐＡは転写体の端部切り取りに使用されるポリアデニレーションシグナルを表す。配列番号２及び３は、標的構築体内の相同部分として使用された配列を示す。
【図３】図３は、ＲＡＭＰ２遺伝子との相同的組み換えに使用された標的構築体及びＲＡＭＰ２遺伝子の分断の略図例である。領域”Ｘ”は欠失及びＬａｃ−Ｎｅｏとの置換標的の内因性コーディング配列を表す。ＳＳはスプライス部位を表す。ヌクレオチド文字に続く番号は、元のマウスｃＤＮＡ（上）内のヌクレオチド位置を表している。標的（ＫＯ）構築体（下）内のｐＡは転写体の端部切り取りに使用されるポリアデニレーションシグナルを表す。配列番号７及び８は、標的構築体内の相同部分として使用された配列を示す。
【図４】図４は、ＲＡＭＰ３遺伝子の部分的ネズミゲノム配列（配列番号４）を示す。大文字はｃＤＮＡのエクソンコーディング配列を表している；小文字は推定イントロン配列を表している。スプライス部位コンセンサンス配列は四角に囲まれている。欠失及びＬａｃＺ−Ｎｅｏによる置換の標的となるエクソン及びイントロン配列には”．．”で表されている。
【図５】図５は、相同的組み換えに使用された標的構築体及びＲＡＭＰ３遺伝子の分断の略図例である。領域”Ｘ”は欠失及びＬａｃ−Ｎｅｏとの置換標的の内因性コーディング配列を表す。ＳＳは推定スプライス部位を表す。ヌクレオチド文字に続く番号は、元のマウスｃＤＮＡ（上）内のヌクレオチド位置を表している。標的（ＫＯ）構築体（下）内のｐＡは転写体の端部切り取りに使用されるポリアデニレーションシグナルを表す。配列番号５及び６は、標的構築体内の相同部分として使用された配列を示す。
【図６】図６ＡはＥＳ細胞ゲノムＤＮＡ内のＲＡＭＰ１遺伝子の標的分断に関するサザンブロット確認を描写している。ＤＮＡは制限酵素ＥｃｏＲＶ、ＮｃｏＩ又はＳｐｅＩにて消化され、ブロットは相同部位の近接する外側にハイブリダイズする様に設計された放射線標識化ＤＮＡ断片とハイブリダイズされた。親ＥＳ細胞は野生型ＲＡＭＰ対立遺伝子を表す単一バンドを示した。これに対し、遺伝的に変更されたＥＳ細胞（ＲＡＭＰ１＋／−）は期待された相同的組み換えに由来する標的対立遺伝子を表す第２対立遺伝子を示した。図６ＢはＲＡＭＰ３遺伝子の標的分断を確認するサザンブロットを描写している。親ＥＳ細胞は野生型ＲＡＭＰ対立遺伝子を表す単一バンドを示したが、遺伝的に変更されたＥＳ細胞（ＲＡＭＰ３＋／−）は期待された相同的組み換えに由来する標的対立遺伝子を表す第２対立遺伝子を示した。ゲノムＤＮＡは図６Ａに関し記載同様のプロトコールに従いＥｃｏＲＩ又はＥｃｏＲＶ消化にかけられ、ブロッティングされた。
【図１】
0003639555.tif 000003
【図２】
0003639555.tif 000004
【図３】
0003639555.tif 000005
【図４】
0003639555.tif 000006
【図５】
0003639555.tif 000007
【図６】
0003639555.tif 000008